(57)【特許請求の範囲】
【請求項１】
表示パネルに階調別テスト画像を表示して、非欠陥領域と輝度差が現れる前記表示パネルの欠陥領域を判定する段階と、
前記欠陥領域の輝度差を電気的に補償するための第１の補償データを発生し、前記第１の補償データに前記欠陥領域のデータを変調する１次欠陥補償段階と、
前記１次欠陥補償された階調別テスト画像を表示して前記欠陥領域と非欠陥領域との間の境界により輝度差が現れる境界部ノイズを判定する段階と、
前記境界部ノイズを電気的に補償するための第２の補償データを発生し、前記第２の補償データに前記境界と隣接する境界部の複数のピクセルのデータを変調する２次欠陥補償段階と、
前記第１の補償データと前記第２の補償データを加算して最終補償データを算出し、前記最終補償データを前記表示パネルに内蔵されたデータ変調用メモリに格納する段階とを含み、
前記最終補償データは、同一階調に対して前記境界部で前記ピクセルの位置別で互いに異なる少なくとも２個の補償値を含むことを特徴とする平板表示装置の製造方法。
【請求項２】
前記第１の補償データは、前記欠陥領域内で同一階調に対して、前記境界と一直線な第１方向及び直交する第２方向に隣接するピクセルに対して同一な補償値を有し、
前記境界部は、前記欠陥領域内で前記境界と隣接する複数のピクセルを含む第１境界部を含み、
前記第２の補償データは、前記欠陥領域内の前記第１境界部で同一階調に対して、前記第１方向及び第２方向の内、少なくとも１つの方向に隣接するピクセルに対して互いに異なる補償値を有することを特徴とする請求項１に記載の平板表示装置の製造方法。
【請求項３】
前記最終補償データは、前記欠陥領域内の前記境界部で同一階調に対して、前記第１方向及び第２方向の内、少なくとも１つの方向に隣接するピクセルに対して互いに異なる補償値を有することを特徴とする請求項２に記載の平板表示装置の製造方法。
【請求項４】
前記欠陥領域内で前記第２の補償データは、前記境界と、それから離隔された前記欠陥領域の端までの距離の１/２以内に配置されたピクセルに対して適用されることを特徴とする請求項２に記載の平板表示装置の製造方法。
【請求項５】
前記境界部は、前記非欠陥領域で前記境界と隣接する複数のピクセルを含む第２境界部をさらに含み、
前記第２の補償データは、前記非欠陥領域の前記第２境界部のデータを変調するための非欠陥領域の補償データをさらに含むことを特徴とする請求項２に記載の平板表示装置の製造方法。
【請求項６】
前記第２の補償データは、前記非欠陥領域の前記第２境界部で同一階調に対して、前記第１方向及び第２方向の内、少なくとも１つの方向に隣接するピクセルに対して互いに異なる補償値を有することを特徴とする請求項５に記載の平板表示装置の製造方法。
【請求項７】
前記最終補償データは、前記非欠陥領域の前記第２境界部で同一階調に対して、前記第２の補償データと同一な補償値を有することを特徴とする請求項６に記載の平板表示装置の製造方法。
【請求項８】
前記最終補償データは、前記第１境界部で一定間隔のピクセル毎に同一な第１補償値を有し、前記第２境界部で一定間隔のピクセル毎に同一な第２補償値を有することを特徴とする請求項５に記載の平板表示装置の製造方法。
【請求項９】
前記第１の補償データは、前記欠陥領域内で同一階調に対して、前記境界と一直線な第１方向に隣接するピクセルに対して互いに異なる補償値を有し、前記境界と直交する第２方向に隣接するピクセルに対して同一な補償値を有し、
前記境界部は、前記欠陥領域及び非欠陥領域で前記境界と隣接する複数のピクセルを含み、
前記第２の補償データは、前記欠陥領域及び非欠陥領域の前記境界部で同一階調に対して、前記第１方向及び第２方向の内、少なくとも１つの方向に隣接するピクセルに対して互いに異なる補償値を有することを特徴とする請求項１に記載の平板表示装置の製造方法。
【請求項１０】
前記第２の補償データは、前記欠陥領域の輝度を増加させ、前記非欠陥領域の輝度を減少させる補償値を設定させることを特徴とする請求項９に記載の平板表示装置の製造方法。
【請求項１１】
前記第２の補償データは、前記パネル欠陥領域の輝度を減少させ、前記非欠陥領域の輝度を増加させる補償値を設定させることを特徴とする請求項９に記載の平板表示装置の製造方法。
【請求項１２】
前記第２の補償データは、前記境界に近いピクセルから遠いピクセルまで段階的に減少する補償値を設定させることを特徴とする請求項１１に記載の平板表示装置の製造方法。
【請求項１３】
前記第２の補償データは、同一ピクセルに対して前記第１の補償データより小さな補償値を設定させることを特徴とする請求項１２に記載の平板表示装置の製造方法。
【請求項１４】
表示パネルに階調別テスト画像を表示して、非欠陥領域と輝度差が現れる前記表示パネルの欠陥領域を検出し、前記表示パネルに前記欠陥領域のデータが補償された階調別テスト画像を表示して、前記表示パネルに前記階調別テスト画像を表示して前記欠陥領域と前記非欠陥領域との間の境界により輝度差が現れる境界部ノイズを検出する検査機と、
前記欠陥領域の輝度差を電気的に補償するための第１の補償データを算出し、前記第１の補償データにより前記欠陥領域のデータを変調し、前記境界部ノイズを電気的に補償するための第２の補償データを算出し、前記第１の補償データと前記第２の補償データを加算して最終補償データを算出するコンピューターと、
前記最終補償データをメモリに記録するためのメモリ記録機と、
前記最終補償データが格納されるメモリとを備え、
前記最終補償データは、同一階調に対して前記境界部で前記ピクセルの位置別で互いに異なる少なくとも２個の補償値を含むことを特徴とする平板表示装置の製造装置。
【請求項１５】
前記欠陥領域内で同一階調に対して、前記境界と一直線な第１方向及び直交する第２方向に隣接するピクセルに対して同一な補償値を有し、
前記境界部は、前記欠陥領域内で前記境界と隣接する複数のピクセルを含む第１境界部を含み、
前記第２の補償データは、前記欠陥領域内の前記第１境界部で同一階調に対して、前記第１方向及び第２方向の内、少なくとも１つの方向に隣接するピクセルに対して互いに異なる補償値を有することを特徴とする請求項１４に記載の平板表示装置の製造装置。
【請求項１６】
前記最終補償データは、前記欠陥領域内の前記境界部で同一階調に対して、前記第１方向及び第２方向の内、少なくとも１つの方向に隣接するピクセルに対して互いに異なる補償値を有することを特徴とする請求項１５に記載の平板表示装置の製造装置。
【請求項１７】
前記欠陥領域内で前記第２の補償データは、前記境界と、それから離隔された前記欠陥領域の端までの距離の１/２以内に配置されたピクセルに対して適用されることを特徴とする請求項１５に記載の平板表示装置の製造装置。
【請求項１８】
前記境界部は、前記非欠陥領域で前記境界と隣接する複数のピクセルを含む第２境界部をさらに含み、
前記第２の補償データは、前記非欠陥領域の前記第２境界部のデータを変調するための非欠陥領域の補償データをさらに含むことを特徴とする請求項１５に記載の平板表示装置の製造装置。
【請求項１９】
前記第２の補償データは、前記非欠陥領域の前記第２境界部で同一階調に対して、前記第１方向及び第２方向の内、少なくとも１つの方向に隣接するピクセルに対して互いに異なる補償値を有することを特徴とする請求項１８に記載の平板表示装置の製造装置。
【請求項２０】
前記最終補償データは、前記非欠陥領域の前記第２境界部で同一階調に対して、前記第２の補償データと同一な補償値を有することを特徴とする請求項１９に記載の平板表示装置の製造装置。
【請求項２１】
前記最終補償データは、前記第１境界部で一定間隔のピクセル毎に同一な第１補償値を有し、前記第２境界部で一定間隔のピクセル毎に同一な第２補償値を有することを特徴とする請求項１８に記載の平板表示装置の製造装置。
【請求項２２】
前記第１の補償データは、前記欠陥領域内で同一階調に対して、前記境界と一直線な第１方向に隣接するピクセルに対して互いに異なる補償値を有し、前記境界と直交する第２方向に隣接するピクセルに対して同一な補償値を有し、
前記境界部は、前記欠陥領域及び非欠陥領域で前記境界と隣接する複数のピクセルを含み、
前記第２の補償データは、前記欠陥領域及び非欠陥領域の前記境界部で同一階調に対して、前記第１方向及び第２方向の内、少なくとも１つの方向に隣接するピクセルに対して互いに異なる補償値を有することを特徴とする請求項１４に記載の平板表示装置の製造装置。
【請求項２３】
前記第２の補償データは、同一ピクセルに対して前記第１の補償データより小さな補償値を設定させることを特徴とする請求項１４に記載の平板表示装置の製造装置。
【請求項２４】
前記メモリは、データ更新のできる非揮発性メモリを含むことを特徴とする請求項１４に記載の平板表示装置の製造装置。
【請求項２５】
前記メモリはＥＥＰＲＯＭ及びＥＤＩＤ ＲＯＭのうち、少なくとも何れか一つを含むことを特徴とする請求項２４に記載の平板表示装置の製造装置。
【発明の詳細な説明】
【技術分野】
【０００１】
本発明は、平板表示装置に係り、特に、電気的なデータにパネル欠陥を補償することによって画質を向上させるようにした平板表示装置、その製造方法、その製造装置、その画質制御方法及びその画質制御装置に関する。
【背景技術】
【０００２】
最近の情報化社会において、表示素子は視覚情報の伝達媒体として、その重要性が常ならず強調されている。現在、主流を成している陰極線管（Ｃａｔｈｏｄｅ  Ｒａｙ  Ｔｕｂｅ、ＣＲＴ）またはブラウン管は重さと嵩が大きいという問題点がある。このような陰極線管の限界を乗り越えられる多種の平板表示素子（ＦＰＤ、ＦＰＤ）が開発されている。
【０００３】
平板表示装置には、液晶表示素子（ＬＣＤ）、電界放出表示素子（ＦＥＤ）、プラズマディスプレイパネル（ＰＤＰ）及び有機発光ダイオード（ＯＬＥＤ）等があり、これらの大分が実用化され市販されている。
【０００４】
このような平板表示装置は、画像を示すための表示パネルを備え、このような表示パネルにはテスト過程でパネル欠陥またはむらが見つけられている。ここで、むらとは、表示画面上の輝度差及び色度差にともなう表示まだらとして定義するものとする。
【０００５】
パネル欠陥は製造工程上発生し、その発生原因によって、点、線、帯、円、多角形等の定型的な形状を有するか、または不定型的な形状を有する。このように多様な形状を有するパネル欠陥の例を図１ないし図３に示した。
【０００６】
図１は、不定型のパネル欠陥を示し、図２は、垂直な帯状のパネル欠陥、図３は、点状のパネル欠陥を示す。そのうち、垂直な帯状のパネル欠陥は、主に重複露光、レンズ収差などの原因により発生し、点状のパネル欠陥は、主に異物質などにより発生する。このようなパネル欠陥位置に表示される画像は、周辺の非欠陥領域に比べ、さらに暗いか、またはさらに明るく示され、また、他の非欠陥領域に比べ、色差が異なるようになる。
【０００７】
このようなパネル欠陥は、その程度によって製品の不良につながることもあり、このような製品の不良は、収率を低下させる。また、このようなパネル欠陥により低下された画質は、製品の信頼度を低下させる。
【０００８】
従って、パネル欠陥を改善するために、多様な方法が提案されてきた。パネル欠陥を減らすために、現在までは主に工程技術の改善を通じてパネル欠陥を減らそうとして来た。しかし、工程技術を改善することにより、パネル欠陥は緩和可能であったが、そのパネル欠陥を完全に除去することは不可能であった。
【発明の開示】
【発明が解決しようとする課題】
【０００９】
従って、本発明の目的は、電気的なデータによりパネル欠陥を補償することによって画質を向上させるようにした平板表示装置、その製造方法、その製造装置、その画質制御方法、及びその画質制御装置を提供することにある。
【課題を解決するための手段】
【００１０】
前記目的の達成のために、本発明に係る平板表示装置の製造方法は、表示パネルに階調別テスト画像を表示して、非欠陥領域と輝度差が現れる前記表示パネルの欠陥領域を判定する段階と、前記欠陥領域の輝度差を電気的に補償するための第１の補償データを発生し、前記第１の補償データに前記欠陥領域のデータを変調する１次欠陥補償段階と、前記１次欠陥補償された階調別テスト画像を表示して前記欠陥領域と非欠陥領域との間の境界により輝度差が現れる境界部ノイズを判定する段階と、前記境界部ノイズを電気的に補償するための第２の補償データを発生し、前記第２の補償データに前記境界と隣接する境界部の複数のピクセルのデータを変調する２次欠陥補償段階と、前記第１の補償データと前記第２の補償データを加算して最終補償データを算出し、前記最終補償データを前記表示パネルに内蔵されたデータ変調用メモリに格納する段階とを含み、前記最終補償データは、同一階調に対して前記境界部で前記ピクセルの位置別で互いに異なる少なくとも２個の補償値を含む。
【００１１】
前記第１の補償データは、前記欠陥領域内で同一階調に対して、前記境界と一直線な第１方向及び直交する第２方向に隣接するピクセルに対して同一な補償値を有し、前記境界部は、前記欠陥領域内で前記境界と隣接する複数のピクセルを含む第１境界部を含み、
前記第２の補償データは、前記欠陥領域内の前記第１境界部で同一階調に対して、前記第１方向及び第２方向の内、少なくとも１つの方向に隣接するピクセルに対して互いに異なる補償値を有する。
【００１２】
前記最終補償データは、前記欠陥領域内の前記境界部で同一階調に対して、前記第１方向及び第２方向の内、少なくとも１つの方向に隣接するピクセルに対して互いに異なる補償値を有する。
【００１３】
前記欠陥領域内で前記第２の補償データは、前記境界と、それから離隔された前記欠陥領域の端までの距離の１/２以内に配置されたピクセルに対して適用される。
【００１４】
前記境界部は、前記非欠陥領域で前記境界と隣接する複数のピクセルを含む第２境界部をさらに含み、前記第２の補償データは、前記非欠陥領域の前記第２境界部のデータを変調するための非欠陥領域の補償データをさらに含む。
【００１５】
前記第２の補償データは、前記非欠陥領域の前記第２境界部で同一階調に対して、前記第１方向及び第２方向の内、少なくとも１つの方向に隣接するピクセルに対して互いに異なる補償値を有する。
【００１６】
前記最終補償データは、前記非欠陥領域の前記第２境界部で同一階調に対して、前記第２の補償データと同一な補償値を有する。
【００１７】
前記最終補償データは、前記第１境界部で一定間隔のピクセル毎に同一な第１補償値を有し、前記第２境界部で一定間隔のピクセル毎に同一な第２補償値を有する。
【００１８】
前記第２の補償データは、前記パネル欠陥領域の輝度を増加させ、前記非欠陥領域の輝度を減少させる補償値を設定させる。
【００１９】
前記第２の補償データは、前記境界に近いピクセルから遠いピクセルまで段階的に減少する補償値を設定させる。
【００２０】
前記第２の補償データは、同一ピクセルに対して前記第１の補償データより小さな補償値を設定させる。
【００２１】
前記第２の補償データは、前記パネル欠陥領域の輝度を減少させ、前記非欠陥領域の輝度を増加させる補償値を設定させる。
【００２２】
本発明に係る平板表示装置の製造装置は、表示パネルに階調別テスト画像を表示して、非欠陥領域と輝度差が現れる前記表示パネルの欠陥領域を検出し、前記表示パネルに前記欠陥領域のデータが補償された階調別テスト画像を表示して、前記表示パネルに前記階調別テスト画像を表示して前記欠陥領域と前記非欠陥領域との間の境界により輝度差が現れる境界部ノイズを検出する検査機と、前記欠陥領域の輝度差を電気的に補償するための第１の補償データを算出し、前記第１の補償データにより前記欠陥領域のデータを変調し、前記境界部ノイズを電気的に補償するための第２の補償データを算出し、前記第１の補償データと前記第２の補償データを加算して最終補償データを算出するコンピューターと、前記最終補償データをメモリに記録するためのメモリ記録機と、前記最終補償データが格納されるメモリとを備え、前記最終補償データは、同一階調に対して前記境界部で前記ピクセルの位置別で互いに異なる少なくとも２個の補償値を含む。
【００２３】
本発明に係る平板表示装置の画質制御装置は、請求項１４乃至２５の内、少なくともある１項に記載した平板表示装置の製造装置を利用して設定された前記最終補償データを格納する前記メモリと、前記メモリに格納された最終補償データを用いて、前記欠陥領域及び前記境界部に供給されるデータを変調する補償部と、前記補償部により変調されたデータを前記表示パネルに表示する駆動部とを備える。
【００２４】
本発明に係る平板表示装置の画質制御方法は、請求項１乃至１３の内、少なくともある１項に記載した平板表示装置の製造方法を利用して、前記メモリに格納された最終補償データを用いて前記欠陥領域及び前記境界部であるデータパネル欠陥領域に供給されるデータを変調する段階と、前記最終補償データに変調されたデータを前記表示パネルに表示する段階とを含む。
【００２５】
本発明に係る平板表示装置は、ビデオデータに基づく画像を表示することのできる表示パネルと、請求項１４乃至２５の内、少なくともある１項に記載した平板表示装置の製造装置を利用して設定された前記最終補償データを格納する前記メモリと、前記メモリに格納された最終補償データを用いて前記欠陥領域及び前記境界部に供給されるビデオデータを変調する補償部と、前記補償部により変調されたビデオデータを前記表示パネル上に表示する駆動部とを備える。
【発明の効果】
【００２６】
前述のように、本発明に係る平板表示装置、その製造方法、及びその製造装置、その画質制御方法、及びその画質制御装置は、製造工程中、パネル欠陥の大きさや形状とは関係なしに、電気的な補償データでパネル欠陥を補償することができるのは勿論、パネル欠陥の輝度と色度を細密に補償できる利点があり、パネル欠陥補償と共にパネル欠陥領域と非欠陥領域の境界も補償することにより、さらに向上された画質具現を可能にする。
【発明を実施するための最良の形態】
【００２７】
上記目的、本発明の他の目的及び特徴は、添付した図面を参照して実施形態についての説明を通じて明らかにされる。
【００２８】
以下、図４ないし図２７Ｅを参照して、本発明の好ましい実施形態について説明する。
【００２９】
図４を参照すると、本発明の実施形態における平板表示装置の製造方法は、上部基板及び下部基板をそれぞれ製造した後、上部/下部基板をシーラント（シール剤）やフリットガラスで合着する。（Ｓ１、Ｓ２、Ｓ３）
【００３０】
続いて、本発明に係る平板表示装置の製造方法は、平板表示装置の検査工程で上部/下部基板が合着された平板表示装置に対して、各階調のテストデータを平板表示装置に印加してテスト画像を表示し、その画像に対して電気的な検査及び/または肉眼検査を通じてパネル欠陥、即ち、表示まだらに対して検査する。（Ｓ４）
【００３１】
そして、本発明に係る平板表示装置の製造方法は、検査工程で平板表示装置上からパネル欠陥が見つけられると、そのパネル欠陥が現れる位置とパネル欠陥の程度を分析する。（Ｓ５）
【００３２】
そして、本発明に係る平板表示装置の製造方法は、平板表示装置のパネル欠陥判定工程でパネル欠陥位置データと階調領域別にパネル欠陥補償データとを決定した後（Ｓ６）、平板表示装置のパネル欠陥補償データ記録工程で、パネル欠陥位置データと階調領域別パネル欠陥補償データとを非揮発性メモリ、例えば、データの更新及び消去のできるＥＥＰＲＯＭ（ＥｌｅｃｔｒｉｃａｌｌｙＥｒａｓａｂｌｅ  Ｐｒｏｇｒａｍｍａｂｌｅ  Ｒｅａｄ  Ｏｎｌｙ  Ｍｅｍｏｒｙ）またはＥＤＩＤ ＲＯＭ （Ｅｘｔｅｎｄｅｄ  Ｄｉｓｐｌａｙ  Ｉｄｅｎｔｉｆｉｃａｔｉｏｎ  Ｄａｔａ  ＲＯＭ）に格納する（Ｓ７）。この際、パネル欠陥位置データと階調領域別パネル欠陥補償データはパネル欠陥の位置と程度とによって変化する。
【００３３】
また、平板表示装置の駆動回路は、２進（バイナリ）データ、即ち、ディジタルビデオデータを用いて離散的輝度分布の階調範囲を表示パネルに表示する。このような駆動回路により表示できる階調範囲内の隣接した階調レベル間の輝度差、即ち、この駆動回路により表示され得る最少の輝度差を以下「ΔＬ」という。ΔＬは平板表示装置が有する駆動回路のデータ処理容量、または多様な画像処理技法により平板表示装置毎に異なる値を有することができる。例えば、６ビット処理容量の駆動回路を有する平板表示装置においてのΔＬと、８ビット処理容量の駆動回路を有する平板表示装置においてのΔＬとは異なる値を有し、同一なビット処理容量の駆動回路を有する平板表示装置間でも画像処理技法の適用可否によって異なるΔＬの値を有することができる。
【００３４】
このようなΔＬの値を有する平板表示装置において、パネル欠陥領域に表示されるデータ補正を通じた回路的パネル欠陥補償の場合、パネル欠陥領域の輝度はΔＬごとに増減され、非欠陥領域の輝度に近づけるようになるが、非欠陥領域の輝度とΔＬ未満の偏差が発生される場合、その補償が難しくなる。 
【００３５】
例えば、図５Ａに示すように、パネル欠陥領域と非欠陥領域との輝度差がｄである場合、図５Ｂに示すように、パネル欠陥領域の輝度を３ΔＬ程増加させる補償をする場合、Δ１程の輝度偏差が発生し、図５Ｃに示すように、パネル欠陥領域の輝度を４ΔＬ程増加させる補償をする場合、Δ２程の輝度偏差が発生される。このようなΔ１、Δ２のようなΔＬ未満の輝度偏差に対しては、データの補正を通じた回路的な補償が難しく、このような輝度偏差はパネル欠陥領域と非欠陥領域との間に境界部ノイズを発生させる。
【００３６】
従って、本発明の平板表示装置の製造方法は、Ｓ７の段階で、非揮発性メモリに格納された補償データで１次パネル欠陥補償を行った後（Ｓ８）、境界部を検査して境界部ノイズが発生すると、この境界部ノイズを補償するための境界部ノイズ補償データを設定し、この境界部ノイズ補償データを用いて２次パネル欠陥補償を行う。
【００３７】
即ち、ＥＥＰＲＯＭに格納されたパネル欠陥位置データと階調領域別パネル欠陥補償データを用いてパネル欠陥領域のデータを変調し、この変調されたデータを平板表示装置に印加してテスト画像を表示させ、その画像に対して２次電気的な検査及び/または２次肉眼検査を通じてパネル欠陥領域と非欠陥領域の境界部ノイズとを検査する（Ｓ８、Ｓ９）
【００３８】
そして、本発明に係る平板表示装置の製造方法は、境界部ノイズ検査工程で、パネル欠陥領域と非欠陥領域の境界部からノイズが見つけられると、そのノイズが表れる位置とノイズの程度を分析する。（Ｓ１０）
【００３９】
そして、本発明に係る平板表示装置の製造方法は、平板表示装置の境界部ノイズ判定工程で、境界部ノイズ位置データと、階調領域別に境界部ノイズ補償データを決定した後（Ｓ１１）、平板表示装置の境界部ノイズ補償データ記録工程で境界部ノイズ位置データと、階調領域別境界部ノイズ補償データとをＳ７の段階で用いた非揮発性メモリに共に格納する（Ｓ１２）。ここで、境界部ノイズ位置データと、階調領域別境界部ノイズ補償データとは、境界部ノイズの位置と程度により変化する。
【００４０】
次いで、境界部ノイズ位置データと階調領域別境界部ノイズ補償データに変調してテスト画像を表示し（Ｓ１３）、この２次テスト画像から境界部ノイズが許容基準値以下に見つけられると、Ｓ６の段階で定められたパネル欠陥位置データと階調領域別パネル欠陥補償データとに、Ｓ１１の段階で定められたノイズ位置データと階調領域別境界部ノイズ補償データとを加算し、最終補償位置データと階調領域別最終補償データを算出し（Ｓ１４）、その最終補償位置データと階調領域別最終補償データをＳ７及びＳ１２の段階で用いられた非揮発性メモリに格納する（Ｓ１５）。
【００４１】
次いで、境界部ノイズ程度が良品許容値以下であることが見つけられると、その平板表示装置は良品に判定され出荷される（Ｓ１６）。
【００４２】
尚、前述の実施形態においては、製造工程の単純化等、合理的な工程過程のために前述の段階を順次的に全部経て補償データを算出することを中心として説明したが、実際の量産過程では、反復的な実験を通じてパネル欠陥及び境界部ノイズの多様なパターンに対して対応できる複数の定型化された補償データのパターンをデータベース化させておくことにより、簡単な検査工程の後、パネル欠陥と境界領域の輝度差類型に対応する最適の補償データパターンを定型化されたパターンのうちから選択し、一度に最適補償データを算出することもできる。
【００４３】
本発明に係る平板表示装置の製造方法について、アクティブマトリクスタイプの液晶表示装置を中心として詳細に説明すると次の通りである。
【００４４】
本発明に係る液晶表示装置の製造方法は、基板洗浄、基板パターニング工程、配向膜形成/ラビング工程、基板合着/液晶注入工程、実装工程、検査工程、リペア工程等に分けられる。
【００４５】
基板洗浄工程においては、液晶表示素子の基板の表面に汚れた異物質を洗浄液で除去する。
【００４６】
基板パターニング工程においては、上部基板（カラーフィルター基板）のパターニングと下部基板（ＴＦＴ−アレイ基板）のパターニング工程とに分けられる。上部基板には、カラーフィルター、共通電極、ブラックマトリクス等が形成される。下部基板には、データラインとゲートライン等の信号配線が形成され、データラインとゲートラインとの交差部にＴＦＴが形成され、ＴＦＴのソース電極に接続されるデータラインとゲートラインの間の画素領域に画素電極が形成される。
【００４７】
配向膜形成/ラビング工程においては、上部基板と下部基板のそれぞれに配向膜を塗布し、その配向膜をラビング布等にラビングする。
【００４８】
基板合着/液晶注入工程においては、シーラントを用いて上部基板と下部基板とを合着し、液晶注入口を通じて液晶とスペーサを注入した後、その液晶注入口を封止する工程が行われる。
【００４９】
実装工程においては、ゲートドライブ集積回路及びデータドライブ集積回路等の集積回路が実装されたテープキャリアパッケージ（以下、「ＴＣＰ」という。）を基板上のパッド部に接続させる。このようなドライブ集積回路は前述のＴＣＰを用いたテープオートメーテッドボンディング（Ｔａｐｅ  Ａｕｔｏｍａｔｅｄ  Ｂｏｎｄｉｎｇ）方式以外に、チップオンガラス（ＣＯＧ）方式等に基板上に直接実装されることもできる。
【００５０】
また、検査工程は、下部基板に各種信号配線と画素電極が形成された後に行われる電気的検査と、基板合着/液晶注入工程の後に行われる電気的検査及び肉眼検査を含む。基板合着/液晶注入工程の後に行われるパネル欠陥及び境界部ノイズ検査工程の検査の結果、パネル欠陥及び境界部ノイズが見つけられると、そのパネル欠陥及び境界部ノイズに対する位置データと補償データとが決定され、そのパネル欠陥に対する位置及び補償データと境界部ノイズに対する位置及び補償データとを総合して算出した最終位置データ及び補償データがＥＥＰＲＯＭまたはＥＤＩＤＲＯＭに格納される。ここで、ＥＥＰＲＯＭまたはＥＤＩＤＲＯＭは液晶表示装置の印刷回路ボード（ＰＣＢ）上に実装される。印刷回路ボード上にはＥＥＰＲＯＭまたはＥＤＩＤＲＯＭのデータを用いて入力ディジタルビデオデータを変調する補償回路と、補償回路からのデータをデータ駆動回路に供給し、データ駆動回路とスキャン駆動回路の動作タイミングを制御するためのタイミングコントローラとが共に実装される。補償回路はタイミングコントローラに内蔵可能である。最終良品に判定され出荷される液晶表示装置の駆動回路には、タイミングコントローラ、データ駆動回路及びスキャン駆動回路と共に、上記ＥＥＰＲＯＭまたはＥＤＩＤＲＯＭ、上記補償回路が含まれる。
【００５１】
図６は、本発明の実施形態における平板表示装置の製造装置を示す図面である。
【００５２】
図６に示すように、本形態における平板表示装置の製造装置は、平板表示装置１００のＥＥＰＲＯＭ５３に接続可能なＲＯＭ記録機５４、ＲＯＭ記録機５４に接続されたコンピューター５５、コンピューター５５に接続された検査装置６１を備える。
【００５３】
平板表示装置１００は、データライン５８とスキャンライン５９とが交差され、複数の画素がマトリクス状に配置される平板表示パネル６０、データライン５８にパネル欠陥が補償されたディジタルビデオデータＲｃ/Ｇｃ/Ｂｃを供給するデータ駆動回路５６、スキャンライン５９にスキャンパルスを順次供給するスキャン駆動回路５７、駆動回路５６、５７を制御するタイミングコントローラ５２を備える。このような平板表示装置１００は、液晶表示素子（ＬＣＤ）、電界放出表示素子（ＦＥＤ）、ブラズマディスプレイパネル（ＰＤＰ）及び有機発光ダイオード（ＯＬＥＤ）等に具現される。
【００５４】
タイミングコントローラ５２には補償回路５１が内蔵される。補償回路５１はパネル欠陥及び境界部ノイズ位置に当たる入力ディジタルビデオデータＲｉ/Ｇｉ/Ｂｉに補償データを増減させ、そのディジタルビデオデータを変調する。この補償回路５１についての詳細な説明は後述する。タイミングコントローラ５２は、補償回路５１により変調された入力ディジタルビデオデータＲｉ/Ｇｉ/Ｂｉと、非欠陥領域に当たって変調されなかった入力ディジタルビデオデータＲｉ/Ｇｉ/Ｂｉとをデータ駆動回路５６に供給する。そして、タイミングコントローラ５２は、垂直/水平同期信号Ｖｓｙｎｃ、Ｈｓｙｎｃ、ドットクロックＤＣＬＫ、データイネーブル信号ＤＥを用いて、データ駆動回路５６の動作タイミングを制御するデータ駆動制御信号ＤＤＣと、ゲート駆動回路５７の動作タイミングを制御するゲート駆動制御信号ＧＤＣとを発生する。
【００５５】
データ駆動回路５６は、タイミングコントローラ５２から補償されたディジタルビデオデータＲｃ/Ｇｃ/Ｂｃを階調表現のできるアナログ電圧または電流に変換してデータライン５８に供給する。
【００５６】
スキャン駆動回路５７は、タイミングコントローラ５２の制御下でスキャンパルスをスキャンラインに順次印加して表示する画素の水平ラインを選択する。
【００５７】
検査装置６１は、データ及びスキャン駆動回路５６、５７が平板表示パネル６０に接続されていない状態でデータライン５８にテストデータを供給し、スキャンライン５９にテストスキャンパルスを供給し、肉眼で平板表示装置１００に表示された画像を検査するための装置又は画像測定装置である。また、この検査装置６１は、コンピューター５５により算出されたパネル欠陥位置データ及び補償データで上記テストデータを変調し、この変調されたテストデータ及びテストスキャンパルスを平板表示パネル６０に供給して、肉眼で平板表示装置１００に表示された画像からパネル欠陥境界部ノイズを検査する装置又は画像測定装置である。この検査装置６１は、コンピューター５５の制御下で最低階調（またはピックブラック階調）から最高階調（またはピックホワイト階調）に一階調ずつテストデータの階調を増加させながら平板表示パネル６０上に表示されたテスト画像を検査する。テストデータは最少８ビット以上の解消度を有しなければならない。
【００５８】
コンピューター５５は、検査装置６１により測定された各階調別画素の輝度測定値の入力を受け、各画素の間の輝度差を算出し、他の画素より輝度差が存在する画素の位置をパネル欠陥領域であると判定し、そのパネル欠陥領域の位置データとそのパネル欠陥領域の輝度差を補償するための補償データとを算出する。そして、コンピューター５５は、検査装置６１により測定されたパネル欠陥領域と非欠陥領域との境界部の各階調別画素の輝度測定値の入力を受け、各画素間の輝度差を算出し、他の画素より輝度差が存在する画素の位置を境界部ノイズであると判定し、その境界部ノイズの位置データと、その境界部ノイズを補償するための補償データとを算出する。そして、コンピューター５５は、上記算出されたパネル欠陥位置データ、パネル欠陥補償データ、境界部ノイズ位置データ及び境界部ノイズ補償データを総合して、最終位置データと境界部最終補償データを算出する。そして、コンピューター５５は、算出された位置データと補償データをＲＯＭ記録機５４に供給する。このコンピューター５５は、工程条件の変化、適用モデル間の差異等のような理由により位置データと補償データの更新が必要になる場合、または運用者により位置データと補償データの更新データが入力されると、Ｉ２Ｃ等の通信標準プロトコルを用いてＲＯＭ記録機５４に更新データを伝送してＲＯＭ記録機５４にＥＥＰＲＯＭ５３に格納された位置データと補償データとを更新させる。但し、以下の本発明の実施形態における平板表示装置の製造装置についての説明及び後述される補償回路５１の実施形態についての説明において、位置データＰＤは、パネル欠陥の位置データ、境界部ノイズの位置データ、最終位置データを含む包括的意味として使用され、また、補償データＣＤは、パネル欠陥補償データ、境界部ノイズ補償データ、最終補償データを含む包括的意味として使用される。
【００５９】
ＲＯＭ記録機５４は、コンピューター５５からの位置データＰＤと補償データＣＤをＥＥＰＲＯＭ５３に供給する。ここで、ＲＯＭ記録機５４はユーザーコネクタを通じてＥＥＰＲＯＭ５３に位置データＰＤ及び補償データＣＤを伝送することができる。ユーザーコネクタを通じて位置データＰＤ及び補償データＣＤは直列に伝送され、また、ユーザーコネクタを通じて直列クロック（Ｓｅｒｉａｌ  Ｃｌｏｃｋ）と電源接地電源等がＥＥＰＲＯＭ５３に伝送される。
【００６０】
尚、 ＥＥＰＲＯＭ５３とユーザーコネクタの代りに、ＥＤＩＤＲＯＭに位置データＰＤ及び補償データＣＤを伝送し、ＥＤＩＤＲＯＭはその位置データＰＤ及び補償データＣＤを別途の格納空間に格納することもできる。ＥＤＩＤＲＯＭには位置データＰＤ及び補償データＣＤのようなパネル欠陥補償データの外に、モニタ情報データとして販売者/生産者識別情報（ＩＤ）及び基本表示素子の変数及び特性等が格納されている。ＥＥＰＲＯＭ５３の代りに、ＥＤＩＤＲＯＭにパネル欠陥補償データを格納する場合、ＲＯＭ記録機５４はＤＤＣ（Ｄａｔａ  Ｄｉｓｐｌａｙ  Ｃｈａｎｎｅｌ）を通じてパネル欠陥補償データを伝送する。従って、ＥＤＩＤＲＯＭを使用する場合にはＥＥＰＲＯＭ５３とユーザーコネクタが除去される可能性があるため、その分追加開発費が低減される効果がある。以下、パネル欠陥補償データが格納されるメモリはＥＥＰＲＯＭ５３を仮定して説明する。勿論、以下の実施形態の説明において、ＥＥＰＲＯＭ５３とユーザーコネクタはＥＤＩＤＲＯＭとＤＤＣに代えられる。
【００６１】
ＥＥＰＲＯＭ５３に格納される補償データは、パネル欠陥及び境界部ノイズの位置によって輝度または色値の不均一の程度が異なるため、位置別に最適化されるべきであり、また、図７に示したようなガンマ特性を考慮して、各階調別に最適化されるべきである。従って、補償データＣＤはＲ、Ｇ、Ｂそれぞれで各階調別に設定されるか、図７において、複数の階調を含む階調区間（Ａ、Ｂ、Ｃ、Ｄ）別に設定されることができる。例えば、補償データＣＤは「位置１」で「＋１」、「位置２」で「−１」、「位置３」で「０」等に、位置別に最適化された値に設定され、また、「階調区間Ａ」で「０」、「階調区間Ｂ」で「０」、「階調区間Ｃ」で「１」、「階調区間Ｄ」で「１」等に、階調区間別に最適化された値に設定されることができる。従って、補償データＣＤは同一な位置で階調別に異になる可能性があり、また、同一な階調で位置別に異になる可能性もある。このような補償データＣＤは輝度補正の場合、一つのピクセル（画素）のＲ、Ｇ、Ｂデータのそれぞれで同一な値に設定され、Ｒ、Ｇ、Ｂサブピクセルを含んだ一つのピクセル単位に設定される。さらに、補償データＣＤは色差補正の場合、Ｒ、Ｇ、Ｂデータのそれぞれで異なって設定される。例えば、特定パネル欠陥位置で、赤色が非欠陥位置でよりさらに目立つと、Ｒ補償値はＧ、Ｂ補償値よりさらに小さくなる。
【００６２】
ＥＥＰＲＯＭ５３は、位置データＰＤと補償データＣＤ、そして階調領域情報（図７におけるＡ、Ｂ、Ｃ、Ｄの区間）をルックアップテーブルの形態に格納し、タイミングコントローラ５２に内蔵された補償回路５１からのアドレス制御信号に応じて、該当アドレスから位置データＰＤと補償データＣＤとを補償回路５１に供給する。
【００６３】
図８ないし図１０は、補償回路５１の第１実施形態とその動作を説明するための図面である。
【００６４】
図８に示したように、補償回路５１は、位置判断部７１、階調判断部７２Ｒ、７２Ｇ、７２Ｂ、アドレス生成部７３Ｒ、７３Ｇ、７３Ｂ及び演算機７４Ｒ、７４Ｇ、７４Ｂを備える。
【００６５】
ＥＥＰＲＯＭ５３は、補償データＣＤ及びその位置データＰＤを赤Ｒ、緑Ｇ、青Ｂ別に分離して格納する第１〜第３のＥＥＰＲＯＭ５３Ｒ、５３Ｇ、５３Ｂを含む。
【００６６】
第１〜第３のＥＥＰＲＯＭ５３に格納されたデータは、色補正やサブ画素単位にパネル欠陥が補償される場合に、同一位置と同一階調でＥＥＰＲＯＭ５３Ｒ、５３Ｇ、５３Ｂ別に異なって設定される。また、輝度補正や赤、緑及び青の三つのサブ画素を含んだ画素単位にパネル欠陥が補償される場合、同一位置と同一階調でＥＥＰＲＯＭ５３Ｒ、５３Ｇ、５３Ｂは同一に設定される。
【００６７】
位置判断部７１は、垂直/水平同期信号Ｖｓｙｎｃ、Ｈｓｙｎｃ、データイネーブル信号ＤＥ及びドットクロックＤＣＬＫを用いて入力ディジタルビデオデータＲｉ/Ｇｉ/Ｂｉの表示位置を判断する。
【００６８】
階調判断部７２Ｒ、７２Ｇ、７２Ｂは、赤Ｒ、緑Ｇ、青Ｂの入力ディジタルビデオデータＲｉ/Ｇｉ/Ｂｉの階調を分析する。
【００６９】
アドレス生成部７３Ｒ、７３Ｇ、７３Ｂは、ＥＥＰＲＯＭ５３Ｒ、５３Ｇ、５３Ｂの位置データＰＤを参照して、入力ディジタルビデオデータＲｉ/Ｇｉ/Ｂｉの表示位置がパネル欠陥位置に当たると、そのパネル欠陥位置においての補償データＣＤを読み出すためのリードアドレス（Ｒｅａｄ  Ａｄｄｒｅｓｓ）を生成し、ＥＥＰＲＯＭ５３Ｒ、５３Ｇ、５３Ｂに供給する。
【００７０】
アドレスに応じてＥＥＰＲＯＭ５３Ｒ、５３Ｇ、５３Ｂから出力される補償データＣＤは演算機７４Ｒ、７４Ｇ、７４Ｂに供給される。
【００７１】
演算機７４Ｒ、７４Ｇ、７４Ｂは、入力ディジタルビデオデータＲｉ/Ｇｉ/Ｂｉに補償データＣＤを加算または減算し、パネル欠陥位置に表示される入力ディジタルビデオデータＲｉ/Ｇｉ/Ｂｉを変調する。ここで、演算機７４Ｒ、７４Ｇ、７４Ｂは加算機、減算機の外にも入力ディジタルビデオデータＲｉ/Ｇｉ/Ｂｉに補償データＣＤを掛け算または割り算する掛け算機または割り算機を含むこともできる。
【００７２】
このような補償回路５１によるパネル欠陥補償結果の一例としては、図９に示したように、Ｒ補償データ、Ｇ補償データ及びＢ補償データが同一に「１」に設定され、非欠陥位置より１階調低いパネル欠陥位置に表示される入力ディジタルビデオデータＲｉ/Ｇｉ/Ｂｉの階調を各色で同一に１ずつ増加させ、パネル欠陥位置の輝度を補償することができる。また、補償回路５１によるパネル欠陥補償結果の外の例としては、図１０に示したように、Ｒ補償データは「１」に、Ｇ及びＢ補償データは「０」に設定され、非欠陥位置より赤色の純度が低いパネル欠陥位置に表示される入力ディジタルビデオデータＲｉ/Ｇｉ/Ｂｉの色差を補償することもできる。
【００７３】
平板表示パネル６０の１画素は、図１１Ａに示したように、赤Ｒ、緑Ｇ、青Ｂの三つのサブ画素を含むことができるが、図１１Ｂのように、赤Ｒ、緑Ｇ、青Ｂ及び白Ｗの四つのサブ画素を含むこともできる。
【００７４】
図１１Ｂのような画素配置において、パネル欠陥位置の白色データＷｉを変調するために、本発明の第２実施形態における補償回路５１は、図１２に示したように、階調判断部７２Ｗ、アドレス生成部７３Ｗ及び演算機７４Ｗをさらに備える。そして、ＥＥＰＲＯＭ５３はパネル欠陥位置においての白色データに対する補償データがルックアップテーブルの形態に格納される第３のＥＥＰＲＯＭ５３Ｗをさらに備える。このように白色データＷｉを補償するようになると、パネル欠陥位置においての輝度補償がさらに容易に行われる。但し、白色データＷｉは、赤、緑及び青色の入力ディジタルビデオデータＲｉ/Ｇｉ/Ｂｉを変数として算出される輝度情報Ｙから定められる。
【００７５】
図１３は、本発明の第３実施形態における補償回路５１とＥＥＰＲＯＭ５３Ｙを示す図面である。
【００７６】
図１３を参照すると、本発明による補償回路５１は、第１の変換機１２０、位置判断部１２１、階調判断部１２２、アドレス生成部１２３、演算機１２４及び第２の変換機１２５を備える。そして、ＥＥＰＲＯＭ５３Ｙは、パネル欠陥位置に表示される入力ディジタルビデオデータＲｉ/Ｇｉ/Ｂｉの輝度情報Ｙｉを微細に変調するための位置別、階調別パネル欠陥輝度補償データが格納される。
【００７７】
第１の変換機１２０は、ｍ/ｍ/ｍビットのＲ/Ｇ/Ｂデータを有する入力ディジタルビデオデータＲｉ/Ｇｉ/Ｂｉを変数とする次の数式１ないし数式３を用いて、ｎ/ｎ/ｎ（ｎは、ｍより大きな整数を表わす。）ビットの輝度情報Ｙｉと色差情報ＵｉＶｉとを算出する。
［数１］   
Ｙｉ＝０．２９９Ｒｉ＋０．５８７Ｇｉ＋０．１１４Ｂｉ  （数式１）
［数２］   
Ｕｉ＝−０．１４７Ｒｉ−０．２８９Ｇｉ＋０．４３６Ｂｉ＝０．４９２（Ｂｉ−Ｙ）  （数式２）
［数３］
Ｖｉ＝０．６１５Ｒｉ−０．５１５Ｇｉ− ０．１００Ｂｉ＝０．８７７（Ｒｉ−Ｙ）  （数式３）
【００７８】
位置判断部１２１は、垂直/水平同期信号Ｖｓｙｎｃ、Ｈｓｙｎｃ、データイネーブル信号ＤＥ及びドットクロックＤＣＬＫを用いて入力ディジタルビデオデータＲｉ/Ｇｉ/Ｂｉの表示位置を判断する。
【００７９】
階調判断部１２２は、第１の変換機１２０からの輝度情報Ｙｉに基づいて入力ディジタルビデオデータＲｉ/Ｇｉ/Ｂｉの階調を分析する。
【００８０】
アドレス生成部１２３は、ＥＥＰＲＯＭ５３Ｙのパネル欠陥位置データを参照して、入力ディジタルビデオデータＲｉ/Ｇｉ/Ｂｉの表示位置がパネル欠陥位置に当たると、そのパネル欠陥位置でのパネル欠陥輝度補償データを読み出すためのリードアドレスを生成してＥＥＰＲＯＭ５３Ｙに供給する。
【００８１】
アドレスに応じてＥＥＰＲＯＭ５３Ｙから出力されるパネル欠陥輝度補償データは演算機１２４に供給される。
【００８２】
演算機１２４は、第１の変換機１２０からのｎビット輝度情報ＹｉにＥＥＰＲＯＭ５３Ｙからのパネル欠陥輝度補償データを加算または減算し、パネル欠陥位置に表示される入力ディジタルビデオデータＲｉ/Ｇｉ/Ｂｉの輝度を変調する。ここで、演算機１２４は、加算機、減算機の外にもｎビット輝度情報Ｙｉにパネル欠陥輝度補償データを掛け算または割り算する掛け算機または割り算機を含むこともできる。
【００８３】
このように、演算機１２４により変調された輝度情報Ｙｃは、拡張されたｎビットの輝度情報Ｙｉを増減させるため、入力ディジタルビデオデータＲｉ/Ｇｉ/Ｂｉの輝度を小数部まで微細に調整することができる。
【００８４】
第２の変換機１２５は、演算機１２４により変調された輝度情報Ｙｃと、第１の変換機１２０からの色差情報ＵｉＶｉを変数とする次の数式４ないし数式６とを用いて、ｍ/ｍ/ｍビットの変調されたデータＲｃ/Ｇｃ/Ｂｃを算出する。
［数４］ 
Ｒ＝Ｙｃ＋１．１４０Ｖｉ  （数式４）
［数５］   
Ｇ＝Ｙｃ−０．３９５Ｕｉ−０．５８１Ｖｉ  （数式５）
［数６］   
Ｂ＝Ｙｃ＋２．０３２Ｕｉ  （数式６）
【００８５】
このように、本発明の第３実施形態における補償回路５１は、人の目が色差よりは輝度差に敏感であるといることに着眼し、パネル欠陥位置に表示されるＲ/Ｇ/Ｂビデオデータを輝度成分と色差成分に変換し、このうち、輝度情報を含むＹデータのビット数を拡張してパネル欠陥位置の輝度を調節することにより、平板表示装置のパネル欠陥位置から輝度の微細な調節を可能にする。
【００８６】
本発明の第４ないし第６の実施形態における補償回路５１は、微細に画質を調整する方法として知られているフレームレートコントロール（ＦＲＣ）とディザリング（Ｄｉｔｈｅｒｉｎｇ）とを用いてパネル欠陥位置に表示されるデータを微細に調整する。
【００８７】
フレームレートコントロールとディザリング方法について、図１４ないし図１６を参照して説明する。
【００８８】
フレームレートコントロールは、０階調と１階調が四つのフレームの間に順次表示される一つの画素を仮定する場合、図１４の（Ａ）に示したように、その画素が三つのフレームの間に０階調を表示する一方、残りの一つのフレームの間に１階調を表示すると、観察者は網膜の積分効果によって四つのフレームの間に１/４階調を感じる。次に、図１４の（Ｂ）に示したように、同一画素が二つのフレームの間に０階調を表示する一方、残りの二つのフレームの間に１階調を表示すると、観察者は網膜の積分効果によって四つのフレームの間に１/２階調を感じ、図１４の（Ｃ）に示したように、同一画素が一つのフレームの間に０階調を表示する一方、残りの三つのフレームの間に１階調を表示すると、観察者は網膜の積分効果によって四つのフレームの間に３/４階調を感じる。
【００８９】
ディザリング方法は、四つの画素（Ｐ１、Ｐ２、Ｐ３、Ｐ４）を含んだ単位画素ウィンドウを仮定する場合、図１５の（Ａ）に示したように、その単位画素ウィンドウ内で三つの画素（Ｐ１、Ｐ３、Ｐ４）が０階調を表示し、残りの一つの画素（Ｐ２）が１階調を表示すると、該当フレーム期間の間、観察者は単位画素ウィンドウから１/４階調を感じる。反面、図１５の（Ｂ）に示したように、単位画素ウィンドウ内で二つの画素（Ｐ１、Ｐ４）が０階調を表示し、残りの二つの画素（Ｐ２、Ｐ３）が１階調を表示すると、該当フレーム期間の間、観察者は単位画素ウィンドウから１/２階調を感じ、図１５の（Ｃ）のように、単位画素ウィンドウ内で一つの画素（Ｐ１）が０階調を表示し、残りの三つの画素（Ｐ２、Ｐ３、Ｐ４）が１階調を表示すると、該当フレーム期間の間、観察者が単位画素ウィンドウから３/４階調を感じる。
【００９０】
本発明では、フレームレートコントロールとディザリング方法それぞれを用いるだけでなく、フレームレートコントロールを用いた場合に発生されるフリッカー現象とディザリング方法を用いた場合に発生される解像度の低下を低減させるために、図１６に示したように、フレームレートコントロールとディザリング方法を混用し、パネル欠陥位置においてのデータを微細に調整する。
【００９１】
図１５を参照すると、四つの画素（Ｐ１、Ｐ２、Ｐ３、Ｐ４）を含んだ単位画素ウィンドウを四つのフレームの間に順次表示する場合を仮定すると、図１６の（Ａ）に示したように、単位画素ウィンドウが四つのフレームの間に１階調が表示される一つの画素をフレーム毎に異なる画素にしながら１/４階調を表示すると、観察者はフリッカーと解像度の低下を殆ど感じることなく、四つのフレームの間に単位画素ウィンドウから１/４階調に感じる。次に、図１６の（Ｂ）、（Ｃ）に示したように、単位画素ウィンドウが四つのフレームの間に１階調が表示される二つまたは三つの画素をフレーム毎に異なる画素にしながら１/２階調または３/４階調を表示すると、観察者はフリッカーと解像度の低下を殆ど感じることなく、四つのフレームの間に単位画素ウィンドウから１/２階調または３/４階調に感じる。
【００９２】
本発明において、フレームレートコントロールのフレーム数やディザリングにおいての単位画素ウィンドウに含まれた画素数は必要に応じて多様に調整できる。
【００９３】
図１７は、本発明の第４の実施形態における補償回路５１とＥＥＰＲＯＭ５３を示す図面である。
【００９４】
図１７を参照すると、補償回路５１は、位置判断部１６１、階調判断部１６２Ｒ、１６２Ｇ、１６２Ｂ、アドレス生成部１６３Ｒ、１６３Ｇ、１６３Ｂ及びＦＲＣ制御機１６４Ｒ、１６４Ｇ、１６４Ｂを備える。そして、ＥＥＰＲＯＭ５３は、赤Ｒ、緑Ｇ、青Ｂ別に補償データＣＤとその位置データＰＤとを格納する第１ないし第３のＥＥＰＲＯＭ５３ＦＲ、５３ＦＧ、５３ＦＢを含む。
【００９５】
位置判断部１６１は、垂直/水平同期信号Ｖｓｙｎｃ、Ｈｓｙｎｃ、データイネーブル信号ＤＥ及びドットクロックＤＣＬＫを用いて入力ディジタルビデオデータＲｉ/Ｇｉ/Ｂｉの表示位置を判断する。
【００９６】
階調判断部１６２Ｒ、１６２Ｇ、１６２Ｂは、赤Ｒ、緑Ｇ、青Ｂの入力ディジタルビデオデータＲｉ/Ｇｉ/Ｂｉの階調を分析する。
【００９７】
アドレス生成部１６３Ｒ、１６３Ｇ、１６３Ｂは、ＥＥＰＲＯＭ５３ＦＲ、５３ＦＧ、５３ＦＢの位置データＰＤを参照して、入力ディジタルビデオデータＲｉ/Ｇｉ/Ｂｉの表示位置がパネル欠陥位置に当たると、そのパネル欠陥位置においての補償データＣＤを読み出すためのリードアドレスを生成し、ＥＥＰＲＯＭ５３ＦＲ、５３ＦＧ、５３ＦＢに供給する。
【００９８】
アドレスに応じてＥＥＰＲＯＭ５３ＦＲ、５３ＦＧ、５３ＦＢから読み出された補償データＣＤはＦＲＣ制御機１６４Ｒ、１６４Ｇ、１６４Ｂに供給される。
【００９９】
ＦＲＣ制御機１６４Ｒ、１６４Ｇ、１６４Ｂは、入力ディジタルビデオデータＲｉ/Ｇｉ/ＢｉにＥＰＲＯＭ５３ＦＲ、５３ＦＧ、５３ＦＢからの補償データＣＤを増減してパネル欠陥位置に表示されるデータを変調し、前述した図１４の（Ａ）〜（Ｂ）に示したように、パネル欠陥補償値に応じて補償データＣＤが増減されるフレームの個数とフレームの順序を異にし、補償データＣＤを複数のフレームに分散させる。例えば、パネル欠陥位置に補償される補償値に設定される補償データＣＤが１/２階調であると、ＦＲＣ制御機１６４Ｒ、１６４Ｇ、１６４Ｂは四つのフレームのうち、二つのフレームのフレーム期間の間に該当するパネル欠陥位置画素のデータに１階調を加算し、パネル欠陥位置に表示されるデータＲｉ/Ｇｉ/Ｂｉのパネル欠陥のレベルの１/２階調を補償する。このようなＦＲＣ制御機１６４Ｒ、１６４Ｇ、１６４Ｂは、図１８に示したような回路構成を有する。
【０１００】
図１８は、赤色データを補正するための第１のＦＲＣ制御機１６４Ｒを詳細に示す図面である。尚、第２及び第３のＦＲＣ制御機 １６４Ｇ、１６４Ｂは第１のＦＲＣ制御機１６４Ｒと実質的に同一な回路構成を有する。
【０１０１】
図１８を参照すると、第１ＦＲＣ制御機１６４Ｒは補償値判定部１７１、フレーム数感知部１７２及び演算機１７３を備える。
【０１０２】
補償値判定部１７１は、Ｒ補償値を判定し、その補償値をフレーム数に応じて割られた値にＦＲＣデータＦＤを発生する。例えば、四つのフレームをＦＲＣの一フレームグループにする場合、Ｒパネル欠陥補償データ「００」は０階調、Ｒパネル欠陥補償データ「０１」は１/４階調、Ｒパネル欠陥補償データ「１０」は１/２階調、「１１」は３/４階調に対応する補償値として認識するように予め設定されている場合には、補償値判定部１７１はＲパネル欠陥補償データ「０１」を該当するパネル欠陥位置のデータの表示階調に１/４階調を加算するデータに判定する。このように、Ｒパネル欠陥補償データの階調が判定されると、補償値判定部１７１は該当するパネル欠陥位置に供給される入力ディジタルビデオデータＲｉ/Ｇｉ/Ｂｉに１/４階調を補償するために、図１４の（Ａ）に示すように、第１ないし第４フレームのうち、いずれか一つのフレームに１階調が加算されるように、加算される一フレーム期間に「１」のＦＲＣデータＦＤを発生し、残りの三つのフレームの期間の間に「０」のＦＲＣデータＦＤを発生する。
【０１０３】
フレーム数感知部１７２は、垂直/水平同期信号Ｖｓｙｎｃ、Ｈｓｙｎｃ、ドットクロックＤＣＬＫ及びデータイネーブル信号ＤＥのうち、何れか一つ以上を用いてフレーム数を感知する。例えば、フレーム数感知部１７２は、垂直同期信号Ｖｓｙｎｃをカウントしてフレーム数を感知することができる。
【０１０４】
演算機１７３は入力ディジタルビデオデータＲｉ/Ｇｉ/ＢｉをＦＲＣデータＦＤに増減して補正されたディジタルビデオデータＲｃを発生する。
【０１０５】
本発明の第４の実施形態における補償回路５１とＥＥＰＲＯＭ５３は、入力Ｒ、Ｇ、Ｂディジタルビデオデータがそれぞれ８ビットであり、四つのフレーム期間を一フレームグループにして補償値を時間的分散させることであると仮定する場合、１０２１階調に細分化してパネル欠陥位置に表示されるデータを細密に補正することができる。
【０１０６】
図１９は、本発明の第５実施の形態における補償回路５１とＥＥＰＲＯＭ５３を示す図面である。
【０１０７】
図１９に示したように、補償回路５１は、位置判断部１８１、階調判断部１８２Ｒ、１８２Ｇ、１８２Ｂ、アドレス生成部１８３Ｒ、１８３Ｇ、１８３Ｂ及びディザリング制御機１８４Ｒ、１８４Ｇ、１８４Ｂを備える。そして、ＥＥＰＲＯＭ５３は、赤Ｒ、緑Ｇ、青Ｂ別に補償データＣＤとその位置データＰＤを格納する第１ないし第３のＥＥＰＲＯＭ５３ＤＲ、５３ＤＧ、５３ＤＢを含む。
【０１０８】
位置判断部１８１は、垂直/水平同期信号Ｖｓｙｎｃ、Ｈｓｙｎｃ、データイネーブル信号ＤＥ及びドットクロックＤＣＬＫを用いて入力ディジタルビデオデータＲｉ/Ｇｉ/Ｂｉの表示位置を判断する。
【０１０９】
階調判断部１８２Ｒ、１８２Ｇ、１８２Ｂは、赤Ｒ、緑Ｇ、青Ｂの入力ディジタルビデオデータＲｉ/Ｇｉ/Ｂｉの階調を分析する。
【０１１０】
アドレス生成部１８３Ｒ、１８３Ｇ、１８３Ｂは、ＥＥＰＲＯＭ５３ＤＲ、５３ＤＧ、５３ＤＢの位置データＰＤを参照して、入力ディジタルビデオデータＲｉ/Ｇｉ/Ｂｉの表示位置がパネル欠陥位置に当たると、そのパネル欠陥位置においての補償データＣＤを読み出すためのリードアドレスを生成し、ＥＥＰＲＯＭ５３ＤＲ、５３ＤＧ、５３ＤＢに供給する。
【０１１１】
アドレスに応じてＥＥＰＲＯＭ５３ＤＲ、５３ＤＧ、５３ＤＢから読み出された補償データＣＤは、ディザリング制御機１８４Ｒ、１８４Ｇ、１８４Ｂに供給される。
【０１１２】
ディザリング制御機１８４Ｒ、１８４Ｇ、１８４Ｂは、ＥＥＰＲＯＭ５３ＤＲ、５３ＤＧ、５３ＤＢからの補償データＣＤを複数の画素を含んだ単位画素ウィンドウの各画素に分散し、パネル欠陥位置に表示される入力ディジタルビデオデータＲｉ/Ｇｉ/Ｂｉを変調する。
【０１１３】
図２０は、赤色データを補正するための第１のディザリング制御機１８４Ｒを詳細に示す図面である。尚、第２及び第３のディザリング制御機１８４Ｇ、１８４Ｂは第１のディザリング制御機１８４Ｒと実質的に同一な回路構成を有する。
【０１１４】
図２０に示したように、第１のディザリング制御機１８４Ｒは補償値判定部１９１、画素位置感知部１９２及び演算機１９３を備える。
【０１１５】
補償値判定部１９１は、Ｒ補償値を判定し、その補償値を単位画素ウィンドウ内に含まれた画素に分散される値にディザリングデータＤＤを発生する。この補償値判定部１９１には、Ｒ補償値に応じてディザリングデータＤＤが自動出力されるようにプログラミングされてある。例えば、補償値判定部１９１は、２進データに表現されるＲ補償値が「００」である場合には単位画素ウィンドウの補償値を１/４階調に、Ｒ補償値が「１０」である場合には１/２階調に、Ｒ補償値が「１１」である場合には３/４階調にディザ補償値を認識するように予めプログラミングされてある。従って、補償値判定部１９１は、単位画素ウィンドウに四つの画素が含まれており、Ｒ補償値が「０１」であるとその単位画素ウィンドウ内の一画素位置で「１」をディザリングデータＤＤに発生し、残りの三つの画素位置で「０」をディザリングデータＤＤに発生する。このようなディザリングデータＤＤは、演算機１３２により、図１５に示したように、入力ディジタルビデオデータに単位画素ウィンドウ内の画素位置別に増減される。
【０１１６】
画素位置感知部１９２は、垂直/水平同期信号Ｖｓｙｎｃ、Ｈｓｙｎｃ、ドットクロックＤＣＬＫ及びデータイネーブル信号ＤＥのうち、何れか一つ以上を用いて画素位置を感知する。例えば、画素位置感知部１９２は水平同期信号ＨｓｙｎｃとドットクロックＤＣＬＫをカウントして画素位置を感知することができる。
【０１１７】
演算機１７３は、入力ディジタルビデオデータＲｉ/Ｇｉ/ＢｉをディザリングデータＤＤに増減して補正されたディジタルビデオデータＲｃを発生する。
【０１１８】
本発明の第５の実施形態における補償回路５１とＥＥＰＲＯＭ５３は、単位画素ウィンドウを四つの画素に構成すると仮定する場合、Ｒ、Ｇ、Ｂそれぞれに対して１０２１階調に細分化された補償値にパネル欠陥位置に表示されるデータを微細に調整することができる。
【０１１９】
図２１は、本発明の第６の実施形態における補償回路５１とＥＥＰＲＯＭ５３を示す図面である。
【０１２０】
図２１に示したように、補償回路５１は、位置判断部２０１、階調判断部２０２Ｒ、２０２Ｇ、２０２Ｂ、アドレス生成部２０３Ｒ、２０３Ｇ、２０３Ｂ及びＦＲＣ＆ディザリング制御機２０４Ｒ、２０４Ｇ、２０４Ｂを備える。そして、ＥＥＰＲＯＭ５３は、赤Ｒ、緑Ｇ、青Ｂ別に補償データＣＤとその位置データＰＤを格納する第１ないし第３のＥＥＰＲＯＭ５３ＦＤＲ、５３ＦＤＧ、５３ＦＤＢを含む。
【０１２１】
位置判断部２０１は、垂直/水平同期信号Ｖｓｙｎｃ、Ｈｓｙｎｃ、データイネーブル信号ＤＥ及びドットクロックＤＣＬＫを用いて入力ディジタルビデオデータＲｉ/Ｇｉ/Ｂｉの表示位置を判断する。
【０１２２】
階調判断部２０２Ｒ、２０２Ｇ、２０２Ｂは、赤Ｒ、緑Ｇ、青Ｂの入力ディジタルビデオデータＲｉ/Ｇｉ/Ｂｉの階調を分析する。
【０１２３】
アドレス生成部２０３Ｒ、２０３Ｇ、２０３Ｂは、ＥＥＰＲＯＭ５３ＦＤＲ、５３ＦＤＧ、５３ＦＤＢの位置データＰＤを参照して、入力ディジタルビデオデータＲｉ/Ｇｉ/Ｂｉの表示位置がパネル欠陥位置に当たると、そのパネル欠陥位置においての補償データＣＤを読み出すためのリードアドレスを生成し、ＥＥＰＲＯＭ５３ＦＤＲ、５３ＦＤＧ、５３ＦＤＢに供給する。
【０１２４】
ＦＲＣ＆ディザリング制御機２０４Ｒ、２０４Ｇ、２０４Ｂは、ＥＥＰＲＯＭ５３ＦＤＲ、５３ＦＤＧ、５３ＦＤＢからの補償データＣＤを複数の画素を含んだ単位画素ウィンドウの各画素に分散し、また、補償データＣＤを複数のフレーム期間に分散させ、パネル欠陥位置に表示される入力ディジタルビデオデータＲｉ/Ｇｉ/Ｂｉを変調する。
【０１２５】
図２２は、赤色データを補正するための第１のＦＲＣ＆ディザリング制御機２０４Ｒを詳細に示す図面である。尚、第２及び第３のＦＲＣ＆ディザリング制御機２０４Ｇ、２０４Ｂは第１のＦＲＣ＆ディザリング制御機２０４Ｒと実質的に同一な回路構成を有する。
【０１２６】
図２２に示したように、第１のＦＲＣ＆ディザリング制御機２０４Ｒは、補償値判定部２１１、フレーム数感知部２２３、画素位置感知部２２４及び演算機２２２を備える。
【０１２７】
補償値判定部２１１は、Ｒ補償値を判定し、その補償値を単位画素ウィンドウ内に含まれた画素と複数のフレーム期間の間に分散される値にＦＲＣ＆ディザリングデータＦＤＤを発生する。この補償値判定部２１１には、Ｒ補償値に応じてＦＲＣ＆ディザリングデータＦＤＤが自動出力されるようにプログラミングされてある。例えば、補償値判定部２１１は、Ｒパネル欠陥補償データが「００」である場合には０階調、「０１」である場合には１/４階調、「１０」である場合には１/２階調、「１１」である場合には３/４階調に対応する補償値に認識するように予めプログラミングされてある。Ｒパネル欠陥補償データが「０１」であり、四つのフレーム期間をＦＲＣフレームグループとし、四つの画素をディザリングの単位画素ウィンドウに構成すると仮定する場合、補償値判定部２１１は、図１６に示したように、四つのフレーム期間の間に単位画素ウィンドウ内で、一つの画素位置で「１」をＦＲＣ＆ディザリングデータＦＤＤに発生し、残りの三つの画素位置で「０」をＦＲＣ＆ディザリングデータＦＤＤに発生し、「１」が発生される画素の位置をフレーム毎に変更させる。
【０１２８】
フレーム数感知部２２３は、垂直/水平同期信号Ｖｓｙｎｃ、Ｈｓｙｎｃ、ドットクロックＤＣＬＫ及びデータイネーブル信号ＤＥのうち、何れか一つ以上を用いてフレーム数を感知する。例えば、フレーム数感知部２２３は垂直同期信号Ｖｓｙｎｃをカウントしてフレーム数を感知することができる。
【０１２９】
画素位置感知部２２４は、垂直/水平同期信号Ｖｓｙｎｃ、Ｈｓｙｎｃ、ドットクロックＤＣＬＫ及びデータイネーブル信号ＤＥのうち、何れか一つ以上を用いて画素位置を感知する。例えば、画素位置感知部２２４は水平同期信号ＨｓｙｎｃとドットクロックＤＣＬＫをカウントして画素位置を感知することができる。
【０１３０】
演算機２２２は、入力ディジタルビデオデータＲｉ/Ｇｉ/ＢｉをＦＲＣ＆ディザリングデータＦＤＤに増減して補正されたディジタルビデオデータＲｃを発生する。
【０１３１】
本発明の第６の実施形態における補償回路５１とＥＥＰＲＯＭ５３は、単位画素ウィンドウを四つの画素に構成し、四つのフレーム期間を一つのＦＲＣフレームグループであると仮定する場合、Ｒ、Ｇ、Ｂそれぞれに対してフリッカーと解像度の低下させることが殆どなく、１０２１階調に細分化された補償値にパネル欠陥位置に表示されるデータを微細に調整することができる。
【０１３２】
以下、本発明の実施形態における平板表示装置の画質制御方法について説明する。
【０１３３】
本発明の実施形態における平板表示装置の画質制御方法は、パネル欠陥領域の検査工程で判定されたパネル欠陥補償データと、境界部検査工程で判定された境界部ノイズ補償データとを合わせて算出される最終補償データをメモリに格納し、このメモリに格納された最終補償データにパネル欠陥領域及び非欠陥領域に供給されるデータを変調し、この変調されたデータで画像を表示する。ここで、最終補償データは、表示パネル上の隣接する水平ラインに対して互いに異なる補償値を有する。即ち、パネル欠陥領域の検査工程で判定されたパネル欠陥補償データを第１の補償データ、境界部ノイズ検査工程で判定された境界部ノイズ補償データを第２の補償データとし、表示パネルでパネル欠陥領域と非欠陥領域の境界と垂直にして互いに隣接する第１及び第２の水平ラインに対して、第１の水平ラインに対する補償データを第１のラインの補償データ、第２の水平ラインに対する補償データを第２のラインの補償データであるとすると、第１のラインの第１の補償データと第２のラインの第１の補償データは、垂直に隣接するピクセルに対して同一であるか、互いに異なって設定され、第１のラインの第２の補償データと第２のラインの第２の補償データは、垂直に隣接するピクセルに対して互いに異なって設定される。従って、第１の補償データと第２の補償データとを合わせて算出される最終補償データは、第１のラインと第２のラインが垂直に隣接するピクセル間に互いに異なって設定される。
【０１３４】
以下、図２３ないし図２７Ｅを参照して本発明に係る平板表示装置の画質制御方法の実施形態について詳細に説明する。
【０１３５】
本発明の第１実施の形態における平板表示装置の画質制御方法は、パネル欠陥領域と非欠陥領域がＡ×ΔＬと（Ａ＋１）×ΔＬとの間の輝度差（ｄ）を有する場合、第１及び第２のラインの第１の補償データは、非欠陥領域で０、パネル欠陥領域で±Ａ×ΔＬの補償値に設定される。境界補償と関わる第１のラインの第２の補償データは、パネル欠陥領域及び非欠陥領域で０に設定され、第２のラインの第２の補償データは、境界に隣接したピクセルに対して±ｋ×ΔＬの補償値に設定される。この際、第２のラインの第２の補償データは、パネル欠陥領域で境界に最も近い１画素（ピクセル）から、境界から最も離れたパネル欠陥領域の端までの距離の１/２の距離内の画素までを対象として設定されることができる。但し、上記変数につて、「Ａ」は正の整数、「ｋ」は「Ａ」より小さいか同一な正の整数、「＋」は輝度増加、「−」は輝度減少を意味する。ｄ及びΔＬは、先に定義した同じ変数と同様である。
【０１３６】
例えば、図２３に示すように、パネル欠陥領域の輝度が非欠陥領域の輝度よりｄ程離れ、ｄは３ΔＬと４ΔＬの間の値を有する場合、本発明の第１の実施形態における平板表示装置の画質制御方法は、次のように設定される補償データでパネル欠陥及び境界部ノイズを補償する。
【０１３７】
図２４Ａに示すように、第１のラインの第１の補償データ２１１ａは非欠陥領域（ＮＤＡ）で０、パネル欠陥領域（ＤＡ）で＋３ΔＬの補償値に設定され、第１のラインの第２の補償データ２１２ａはパネル欠陥領域（ＤＡ）及び非欠陥領域（ＮＤＡ）で０の補償値に設定され、第１のラインの最終補償データ２１３ａは第１のラインの第１の補償データ２１１ａと第１のラインの第２の補償データ２１２ａとを合わせて算出される。
【０１３８】
図２４Ｂに示すように、第２のラインの第１の補償データ２１１ｂは第１のラインの第１の補償データ２１１ａと同様に、非欠陥領域（ＮＤＡ）で０、パネル欠陥領域（ＤＡ）で＋３ΔＬの補償値に設定され、第２のラインの第２の補償データ２１２ｂはパネル欠陥領域（ＤＡ）で境界（ＢＬ）に隣接したピクセルに対して＋ｋ×ΔＬ、例えば、＋ΔＬの補償値に設定される。このような第２のラインの第２の補償データ２１２ｂは、上記ピクセルを含み、境界（ＢＬ）から最も遠いパネル欠陥領域（ＤＡ）の端までの１/２の距離程離れたピクセルまで各セル単位を対象として設定されることができる。そして、第２のラインの最終補償データ２１３ｂは、第２のラインの第１の補償データ２１１ｂと第２のラインの第２の補償データ２１２ｂとを合わせて算出される。
【０１３９】
本発明の第１の実施形態における平板表示装置の画質制御方法は、上記のように設定された第１及び第２のラインの最終補償データ２１３ａ、２１３ｂをメモリに格納し、この最終補償データ２１３ａ、２１３ｂを用いてパネル欠陥領域（ＤＡ）及び境界（ＢＬ）に供給されるデータを変調し、そのパネル欠陥領域（ＤＡ）及び境界（ＢＬ）でノイズを補償する。換言すると、本発明の第１の実施形態における平板表示装置の画質制御方法は、図２４Ｃに示すように、パネル欠陥領域（ＤＡ）及び非欠陥領域（ＮＤＡ）で隣接する第１及び第２の水平ラインの輝度が２００ａ及び２００ｂのようである場合、２１３ａのような第１のラインの最終補償データを用いて第１の水平ラインに表示されるデータを調整することにより、第１の水平ラインの輝度を２１４ａのように補償し、２１３ｂのような第２のラインの最終補償データを用いて第２の水平ラインに表示されるデータを調整することにより、第２の水平ラインの輝度を２１４ｂのように補償する。このように、パネル欠陥及び境界（ＢＬ）でノイズが補償された第１の水平ラインと第２の水平ラインの平均輝度は、２１５のように表される。
【０１４０】
図２４Ｄないし図２４Ｆは、表示パネル上でパネル欠陥領域（ＤＡ）及び非欠陥領域（ＮＤＡ）の一方側の境界（ＢＬ）を基準としてピクセルが配置された例と、このピクセルに対して、図２４Ａ及び図２４Ｂに示したように設定された補償データが適用される具体例を示す。図２４Ｄ以下の図面に並べられた四角形に区分された空間は表示パネル上のピクセルを意味し、その中に記載された「Ａ」、「＋」及び「ΔＬ」は先に定義したことと同一である。
【０１４１】
図２４Ｄに示したように、第１のラインの第１の補償データ２１１ａは、非欠陥領域（ＮＤＡ）で「０」の補償値に設定され、パネル欠陥領域（ＤＡ）で「＋Ａ×ΔＬ」の補償値に設定される。ここで、パネル欠陥領域（ＤＡ）と非欠陥領域（ＮＤＡ）の輝度差が図２３と同じである場合、Ａは３等の値を有する。そして、第１のラインの第２の補償データ２１２ａは非欠陥領域（ＮＤＡ）及びパネル欠陥領域（ＤＡ）で「０」の補償値に設定される。このように設定された第１のラインの第１の補償データ２１１ａと第１のラインの第２の補償データ２１２ａとを合わせて第１のラインの最終補償データ２１３ａが算出される。
【０１４２】
図２４Ｅに示すように、第２のラインの第１の補償データ２１１ｂは第１のラインの第１の補償データ２１１ａのように非欠陥領域（ＮＤＡ）で「０」の補償値に設定され、パネル欠陥領域（ＤＡ）で「＋Ａ×ΔＬ」に設定される。そして、第１のラインの第２の補償データ２１２ｂは非欠陥領域（ＮＤＡ）で「０」の補償値に設定され、パネル欠陥領域（ＤＡ）で境界（ＢＬ）に隣接したピクセルに対して「＋ΔＬ」に設定される。このように設定された第２のラインの第１の補償データ２１１ｂと第２のラインの第２の補償データ２１２ｂとを合わせて第２のラインの最終補償データ２１３ｂが算出される。
【０１４３】
上記のように算出された第１及び第２のラインの最終補償データ２１３ａ、２１３ｂは、図２４Ｆに示すように表示パネル上の隣接する水平ラインに対して交互に適用される。
【０１４４】
本発明の第２の実施形態における平板表示装置の画質制御方法は、パネル欠陥領域（ＤＡ）と非欠陥領域（ＮＤＡ）がＡ×ΔＬと（Ａ＋１）×ΔＬの間の輝度差（ｄ）を有する場合、第１及び第２のラインの第１の補償データは、非欠陥領域（ＮＤＡ）で０、パネル欠陥領域（ＤＡ）で±Ａ×ΔＬの補償値に設定される。第１のラインの第２の補償データは、非欠陥領域（ＮＤＡ）で境界（ＢＬ）に隣接したピクセル及びこのピクセルを含み、パネル欠陥領域（ＤＡ）及び非欠陥領域（ＮＤＡ）の同一水平ライン上で「０」の補償値と「±ｋ×ΔＬ」の補償値が交互に設定される。第２のラインの第２の補償データは、パネル欠陥領域（ＤＡ）で境界（ＢＬ）に隣接したピクセル及びこのピクセルを含み、パネル欠陥領域（ＤＡ）及び非欠陥領域（ＮＤＡ）の同一水平ライン上で「±ｋ×ΔＬ」の補償値と「０」の補償値が交互に設定される。この際、第１及び第２のラインの第２の補償データは、パネル欠陥領域（ＤＡ）及び非欠陥領域（ＮＤＡ）で境界（ＢＬ）に最も隣接した１ピクセルから、境界（ＢＬ）から最も離れたパネル欠陥領域（ＤＡ）の端までの１/２の距離内のピクセルに対して設定されることができる。但し、「Ａ」は正の整数、「ｋ」は「Ａ」より小さいか同一な正の整数、「＋」は輝度増加、「−」は輝度減少を意味し、ｄ及びΔＬは先に定義したことと同一である。
【０１４５】
例えば、図２３に示すように、パネル欠陥領域ＤＡの輝度が非欠陥領域（ＮＤＡ）の輝度よりｄ程離れ、ｄは３ΔＬと４ΔＬの間の値を有する場合、本発明の第２の実施形態における平板表示装置の画質制御方法は、次のように設定される補償データでパネル欠陥及び境界（ＢＬ）でノイズを補償する。
【０１４６】
図２５Ａを参照すると、第１のラインの第１の補償データ２２１ａは非欠陥領域（ＮＤＡ）で０、パネル欠陥領域（ＤＡ）で＋３ΔＬの補償値に設定され、第１のラインの第２の補償データ２２２ａは非欠陥領域（ＮＤＡ）で境界（ＢＬ）に隣接したピクセル及びこのピクセルと境界（ＢＬ）を介して隔セル間隔に位置したピクセルに対して＋ｋ×ΔＬ、例えば、＋ΔＬの補償値に設定される。このような第１のラインの第２の補償データ２２２ａは、上記ピクセルを含み、境界（ＢＬ）から最も遠いパネル欠陥領域（ＤＡ）の端までの１/２の距離程離れたピクセル内で「０」の補償値と「＋ΔＬ」の補償値が交互に設定されることができる。そして、第１のラインの最終補償データ２２３ａは、第１のラインの第１の補償データ２２１ａと第１のラインの第２の補償データ２２２ａとを合わせて算出される。
【０１４７】
図２５Ｂに示すように、第２のラインの第１の補償データ２２１ｂは第１のラインの第１の補償データ２１１ａと同様に非欠陥領域（ＮＤＡ）で０、パネル欠陥領域（ＤＡ）で＋３ΔＬの補償値に設定され、第２のラインの第２の補償データ２２２ｂはパネル欠陥領域（ＤＡ）から境界（ＢＬ）に隣接したピクセル及びこのピクセルと境界（ＢＬ）を介して隔セル間隔に位置したピクセルに対して＋ｋ×ΔＬ、例えば、＋ΔＬの補償値に設定される。このような第２のラインの第２の補償データ２２２ｂは、上記ピクセルを含み、境界（ＢＬ）から最も遠いパネル欠陥領域（ＤＡ）の端までの１/２の距離以内で「＋ΔＬ」の補償値と「０」の補償値が交互に設定されることができる。そして、第２のラインの最終補償データ２２３ｂは、第２のラインの第１の補償データ２２１ｂと第２のラインの第２の補償データ２２２ｂとを合わせて算出される。
【０１４８】
本発明の第２の実施形態における平板表示装置の画質制御方法は、上記のように設定された第１及び第２のラインの最終補償データ２２３ａ、２２３ｂをメモリに格納し、この最終補償データ２２３ａ、２２３ｂを用いてパネル欠陥領域（ＤＡ）及び境界（ＢＬ）に供給されるデータを変調し、そのパネル欠陥領域（ＤＡ）及び境界（ＢＬ）でノイズを補償する。換言すると、本発明の第２の実施形態における平板表示装置の画質制御方法は、図２５Ｃに示すように、パネル欠陥領域（ＤＡ）及び非欠陥領域（ＮＤＡ）で隣接する第１及び第２の水平ラインの輝度が２００ａ及び２００ｂのようである場合、２２３ａのような第１のラインの最終補償データを用いて第１の水平ライン輝度を２２４ａのように補償し、２２３ｂのような第２のラインの最終補償データを用いて第２の水平ラインの輝度を２２４ｂのように補償する。このように、パネル欠陥及び境界（ＢＬ）ノイズが補償された第１の水平ラインと第２の水平ラインの平均輝度は、２２５のように表される。
【０１４９】
図２５Ｄないし図２５Ｆは、表示パネル上でパネル欠陥領域（ＤＡ）及び非欠陥領域（ＮＤＡ）の一方側の境界（ＢＬ）を基準としてピクセルが配置された例と、このピクセルに対して、図２５Ａ及び図２５Ｂのように設定された補償データが適用される具体例を示す。図２５Ｄ以下の図面に並べられた四角形に区分された空間は表示パネル上のピクセルを意味し、その中に記載された「Ａ」、「＋」及び「ΔＬ」は先に定義したものと同一である。
【０１５０】
図２５Ｄに示したように、第１のラインの第１の補償データ２２１ａは、非欠陥領域（ＮＤＡ）で「０」の補償値に設定され、パネル欠陥領域（ＤＡ）で「＋Ａ×ΔＬ」の補償値に設定される。ここで、パネル欠陥領域（ＤＡ）と非欠陥領域（ＮＤＡ）の輝度差が図２３と同じである場合、Ａは３等の値を有する。そして、第１のラインの第２の補償データ２２２ａは、非欠陥領域（ＮＤＡ）から境界（ＢＬ）に隣接したピクセル及びこのピクセルと境界（ＢＬ）を介して隔セル間隔に位置したピクセルに対して「＋ΔＬ」に設定される。このような第１のラインの第２の補償データ２２２ａは、上記ピクセルを含み、境界（ＢＬ）から最も遠いパネル欠陥領域（ＤＡ）の端までの１/２の距離以内のピクセルに全てのセル毎に適用されることができる。このように設定された第１のラインの第１の補償データ２２１ａと第１のラインの第２の補償データ２２２ａとを合わせて第１のラインの最終補償データ２２３ａが算出される。
【０１５１】
図２５Ｅに示すように、第２のラインの第１の補償データ２２１ｂは、第１のラインの第１の補償データ２２１ａのように非欠陥領域（ＮＤＡ）で「０」の補償値に設定され、パネル欠陥領域（ＤＡ）で「＋Ａ×ΔＬ」に設定される。そして、第２のラインの第２の補償データ２２２ｂはパネル欠陥領域（ＤＡ）で境界（ＢＬ）に隣接したピクセル及びこのピクセルと境界（ＢＬ）を介して１セル間隔に位置したピクセルに対して「＋ΔＬ」に設定される。このような第２のラインの第２の補償データ２２２ｂは、上記ピクセルを含み、境界（ＢＬ）から最も遠いパネル欠陥領域（ＤＡ）の端までの１/２の距離以内のピクセルに対して全てのセル毎に適用されることができる。このように設定された第２のラインの第１の補償データ２２１ｂと第２のラインの第２の補償データ２２２ｂとを合わせて第２のラインの最終補償データ２２３ｂが算出される。
【０１５２】
上記のように算出された第１及び第２のラインの最終補償データ２２３ａ、２２３ｂは、図２５Ｆに示すように表示パネル上の隣接する水平ラインに対して交互に適用される。
【０１５３】
本発明の第３の実施形態における平板表示装置の画質制御方法は、パネル欠陥領域（ＤＡ）と非欠陥領域（ＮＤＡ）がＡ×ΔＬと（Ａ＋１）×ΔＬとの間の輝度差（ｄ）を有する場合、第１のラインの第１の補償データは、非欠陥領域（ＮＤＡ）で０、パネル欠陥領域（ＤＡ）で＋Ａ×ΔＬの補償値に設定され、第２のラインの第１の補償データは、非欠陥領域（ＮＤＡ）で０、パネル欠陥領域（ＤＡ）で＋（Ａ＋１）×ΔＬの補償値に設定される。第１のラインの第２の補償データは、パネル欠陥領域（ＤＡ）では境界（ＢＬ）に隣接したピクセルに対して−ｋ×ΔＬの補償値に設定され、このピクセルから隔セル間隔に遠くなるピクセル毎にΔＬずつ増加される補償値に設定され、非欠陥領域（ＮＤＡ）ではパネル欠陥領域（ＤＡ）の境界（ＢＬ）に隣接したピクセルと境界（ＢＬ）を介して１セル間隔に位置したピクセルに対して＋ｋ×ΔＬの補償値に設定され、このピクセルから隔セル間隔に遠くなるピクセル毎にΔＬずつ減少される補償値に設定される。そして、第２のラインの第２の補償データは、非欠陥領域（ＮＤＡ）では境界（ＢＬ）に隣接したピクセルに対して＋ｋ×ΔＬの補償値に設定され、このピクセルから隔セル間隔に遠くなるピクセル毎にΔＬずつ減少される補償値に設定され、パネル欠陥領域（ＤＡ）では非欠陥領域（ＮＤＡ）の境界（ＢＬ）に隣接したピクセルと境界を介して隔セル間隔に位置したピクセルに対して−ｋ×ΔＬの補償値に設定され、このピクセルから隔セル間隔に遠くなるピクセル毎にΔＬずつ増加される補償値に設定される。この際、第１及び第２のラインの第２の補償データは、パネル欠陥領域（ＤＡ）及び非欠陥領域（ＮＤＡ）で、最小限境界（ＢＬ）に隣接した１ピクセルに対して、最大限境界（ＢＬ）からパネル欠陥領域（ＤＡ）の両端間距離の半距離程離れたピクセルまでに対して上記補償値に設定されることができる。但し、「Ａ」は正の整数、「ｋ」は「Ａ」より小さいか同一な正の整数、「＋」は輝度増加、「−」は輝度減少を意味し、ｄ及びΔＬは先に定義したものと同一であり、特に、ｋは１/２Ａである可能性がある。尚、第１及び第２のラインの第２の補償データは上記とは反対に、パネル欠陥領域（ＤＡ）で＋ｋ×ΔＬから減少され、非欠陥領域（ＮＤＡ）で−ｋ×ΔＬから増加される補償値に設定されることもできる。
【０１５４】
例えば、図２３に示すように、パネル欠陥領域（ＤＡ）の輝度が非欠陥領域（ＮＤＡ）の輝度よりｄ程低く、ｄは３ΔＬと４ΔＬの間の値を有する場合、本発明の第３の実施形態における平板表示装置の画質制御方法は、次のように設定される補償データでパネル欠陥及び境界（ＢＬ）ノイズを補償する。
【０１５５】
図２６Ａに示したように、第１のラインの第１の補償データ２３１Ａは非欠陥領域（ＮＤＡ）で０、パネル欠陥領域（ＤＡ）で＋３ΔＬの補償値に設定される。第１のラインの第２の補償データ２３２ａは、パネル欠陥領域（ＤＡ）では境界（ＢＬ）に隣接したピクセルに対して−２ΔＬの補償値に設定され、このピクセルから隔セル間隔に遠くなるピクセル毎にΔＬずつ増加される補償値に設定され、非欠陥領域（ＮＤＡ）では、パネル欠陥領域（ＤＡ）の境界（ＢＬ）に隣接したピクセルと境界（ＢＬ）を介して隔セル間隔に位置したピクセルに対して＋２ΔＬの補償値に設定され、このピクセルから隔セル間隔に遠くなるピクセル毎にΔＬずつ減少される補償値に設定される。このような第１のラインの第２の補償データ２３２ａは、上記ピクセルを含み、境界（ＢＬ）から最も遠いパネル欠陥領域（ＤＡ）の端までの１/２の距離以内のピクセルに対して隔セル毎に設定されることができる。そして、第１のラインの最終補償データ２３３ａは、第１のラインの第１の補償データ２３１ａと第１のラインの第２の補償データ２３２ａとを合わせて算出される。
【０１５６】
図２６Ｂに示したように、第２のラインの第１の補償データ２３１ｂは第１のラインの第１の補償データ２３１ａとは異なって、非欠陥領域（ＮＤＡ）で０、パネル欠陥領域（ＤＡ）で＋４ΔＬの補償値に設定される。そして、第２のラインの第２の補償データ２３２ｂは、非欠陥領域（ＮＤＡ）では境界（ＢＬ）に隣接したピクセルに対して＋２ΔＬの補償値に設定され、このピクセルから隔セル間隔に遠くなるピクセル毎にΔＬずつ減少される補償値に設定され、パネル欠陥領域（ＤＡ）では、非欠陥領域（ＮＤＡ）の境界（ＢＬ）に隣接したピクセルと境界（ＢＬ）を介して隔セル間隔に位置したピクセルに対して−２ΔＬの補償値に設定され、このピクセルから隔セル間隔に遠くなるピクセル毎にΔＬずつ増加される補償値に設定される。このような第２のラインの第２の補償データ２３２ｂは、上記ピクセルを含み、境界（ＢＬ）から最も遠いパネル欠陥領域（ＤＡ）の端までの１/２の距離以内のピクセルに対して隔セル毎に設定されることができる。そして、第２のラインの最終補償データ２３３ｂは、第２のラインの第１の補償データ２３１ｂと第２のラインの第２の補償データ２３２ｂとを合わせて算出される。
【０１５７】
本発明の第３の実施形態における平板表示装置の画質制御方法は、上記のように設定された第１及び第２のラインの最終補償データ２３３ａ、２３３ｂをメモリに格納し、この最終補償データ２３３ａ、２３３ｂを用いてパネル欠陥領域（ＤＡ）及び境界（ＢＬ）に供給されるデータを変調し、そのパネル欠陥及び境界（ＢＬ）ノイズを補償する。換言すると、本発明の第３の実施形態における平板表示装置の画質制御方法は、図２６Ｃに示すように、パネル欠陥領域（ＤＡ）及び非欠陥領域（ＮＤＡ）で隣接する第１及び第２の水平ラインの輝度が２００ａ及び２００ｂのようである場合、２３３ａのような第１のラインの最終補償データを用いた第１の水平ラインに供給されるデータ変調を通じて第１の水平ラインの輝度を２３４ａのように補償し、２３３ｂのような第２のラインの最終補償データを用いた第２の水平ラインに供給されるデータ変調を通じて第２の水平ラインの輝度を２３４ｂのように補償する。このように、パネル欠陥及び境界（ＢＬ）ノイズが補償された第１の水平ラインと第２の水平ラインの平均輝度は、２３５のように表される。
【０１５８】
図２６Ｄないし図２６Ｆは、表示パネル上でパネル欠陥領域（ＤＡ）及び非欠陥領域（ＮＤＡ）の一方側の境界（ＢＬ）を基準としてピクセルが配置された例と、このピクセルに対して、図２６Ａ及び図２６Ｂのように設定された補償データが適用される具体例を示す。図２６Ｄ以下の図面に並べられた四角形に区分された空間は表示パネル上のピクセルを意味し、その中に記載された「Ａ」、「＋」及び「ΔＬ」は先に定義したものと同一である。
【０１５９】
図２６Ｄに示したように、第１のラインの第１の補償データ２３１ａは、非欠陥領域（ＮＤＡ）で「０」の補償値に設定され、パネル欠陥領域（ＤＡ）で「＋Ａ×ΔＬ」の補償値に設定される。ここで、パネル欠陥領域（ＤＡ）と非欠陥領域（ＮＤＡ）の輝度差が図２３と同じである場合、Ａは３等の値を有する。そして、第１のラインの第２の補償データ２３１ａはパネル欠陥領域（ＤＡ）では境界（ＢＬ）に隣接したピクセルに対して−１/２Ａ×ΔＬの補償値に設定され、このピクセルから隔セル間隔に遠くなるピクセル毎にΔＬずつ増加される補償値に設定され、非欠陥領域（ＮＤＡ）ではパネル欠陥領域（ＤＡ）の境界（ＢＬ）に隣接したピクセルと境界（ＢＬ）を介して隔セル間隔に位置したピクセルに対して＋１/２Ａ×ΔＬの補償値に設定され、このピクセルから隔セル間隔に遠くなるピクセル毎にΔＬずつ減少される補償値に設定される。このような第１のラインの第２の補償データ２３２ａは、上記ピクセルを含み、最大限境界（ＢＬ）からパネル欠陥領域（ＤＡ）の両端間距離の半距離程離れたピクセルまで隔セル毎に設定されることができる。このように設定された第１のラインの第１の補償データ２３１ａと第１のラインの第２の補償データ２３２ａとを合わせて第１のラインの最終補償データ２３３ａが算出される。
【０１６０】
図２６Ｅに示したように、第２のラインの第１の補償データ２３１ｂは、第１のラインの第１の補償データ２３１ａのように非欠陥領域（ＮＤＡ）で「０」の補償値に設定され、パネル欠陥領域（ＤＡ）で「＋Ａ×ΔＬ」に設定される。そして、第２のラインの第２の補償データ２３２ｂは、非欠陥領域（ＮＤＡ）では境界（ＢＬ）に隣接したピクセルに対して＋１/２Ａ×ΔＬの補償値に設定され、このピクセルから隔セル間隔に遠くなるピクセル毎にΔＬずつ減少される補償値に設定され、パネル欠陥領域（ＤＡ）では非欠陥領域（ＮＤＡ）の境界（ＢＬ）に隣接したピクセルと境界（ＢＬ）を介して隔セル間隔に位置したピクセルに対して−１/２Ａ×ΔＬの補償値に設定され、このピクセルから隔セル間隔に遠くなるピクセル毎にΔＬずつ増加される補償値に設定される。このような第２のラインの第２の補償データ２３２ｂは、上記ピクセルを含み、最大限境界（ＢＬ）からパネル欠陥領域（ＤＡ）の両端間距離の半距離程離れたピクセルまで隔セル毎に設定されることができる。このように設定された第２のラインの第１の補償データ２３１ｂと第２のラインの第２の補償データ２３２ｂとを合わせて第２のラインの最終補償データ２３３ｂが算出される。
【０１６１】
上記のように算出された第１及び第２のラインの最終補償データ２３３ａ、２３３ｂは、図２６Ｆに示すように表示パネル上の隣接する水平ラインに対して交互に適用される。
【０１６２】
以下、図２６Ａないし図２６Ｆを通じて説明した本発明の第３の実施形態における平板表示装置の画質制御方法において、任意の数値を適用して示す図２７Ａないし図２７Ｅと結び付けて、本発明の第３の実施形態における平板表示装置の画質制御方法についてさらに詳細に説明する。
【０１６３】
例えば、図２７Ａに示すように、非欠陥領域（ＮＤＡ）の輝度が１２０である場合、パネル欠陥領域（ＤＡ）の輝度が１１６．５であるとする。換言すると、パネル欠陥領域（ＤＡ）と非欠陥領域（ＮＤＡ）の輝度差（ｄ）が３．５であり、ΔＬは１の値を有すると仮定すると、このような場合、図２７Ｂに示すように、第１のラインの第１の補償データ２３１ａは、非欠陥領域（ＮＤＡ）で「０」の補償値に設定され、パネル欠陥領域（ＤＡ）で「＋３」の補償値に設定される。そして、第１のラインの第２の補償データ２３２ａは、パネル欠陥領域（ＤＡ）では境界（ＢＬ）に隣接したピクセルに対して−２の補償値に設定され、このピクセルから隔セル間隔に遠くなるピクセル毎に１ずつ増加される補償値に設定され、非欠陥領域（ＮＤＡ）ではパネル欠陥領域（ＤＡ）の境界（ＢＬ）に隣接したピクセルと境界（ＢＬ）を介して隔セル間隔に位置したピクセルに対して＋２の補償値に設定され、このピクセルから隔セル間隔に遠くなるピクセル毎に１ずつ減少される補償値に設定される。このように設定された第１のラインの第１の補償データ２３１ａと第１のラインの第２の補償データ２３２ａとを合わせて第１のラインの最終補償データ２３３ａが算出される。
【０１６４】
図２７Ｃに示したように、第２のラインの第１の補償データ２３１ｂは、第１のラインの第１の補償データ２３１ａのように、非欠陥領域（ＮＤＡ）で「０」の補償値に設定され、パネル欠陥領域（ＤＡ）で「＋４」に設定される。そして、第２のラインの第２の補償データは、非欠陥領域（ＮＤＡ）では境界（ＢＬ）に隣接したピクセルに対して＋２×ΔＬの補償値に設定され、このピクセルから隔セル間隔に遠くなるピクセル毎に１ずつ減少される補償値に設定され、パネル欠陥領域（ＤＡ）では非欠陥領域（ＮＤＡ）の境界（ＢＬ）に隣接したピクセルと境界（ＢＬ）を介して隔セル間隔に位置したピクセルに対して−２の補償値に設定され、このピクセルから隔セル間隔に遠くなるピクセル毎に１ずつ増加される補償値に設定される。このように第２のラインの第２の補償データ２３２ｂは、上記ピクセルを含み、最大限境界（ＢＬ）からパネル欠陥領域（ＤＡ）の両端間距離の半距離程離れたピクセルまで隔セル毎に設定されることができる。このように設定された第２のラインの第１の補償データ２３１ｂと第２のラインの第２の補償データ２３２ｂとを合わせて第２のラインの最終補償データ２３３ｂが算出される。
【０１６５】
このように算出された第１及び第２のラインの最終補償データ２３３ａ、２３３ｂは、図２７Ｄに示すように表示パネル上の隣接する水平ラインに対して交互に適用され、このような第１及び第２のラインの最終補償データ２３３ａ、２３３ｂを用いて、図２７Ａに示すようなデータを変調すると、最終的に図２７Ｅに示すような輝度データが表示パネル上に表示される。
【０１６６】
尚、本発明の平板表示装置の画質制御方法において、上記実施の形態を通じて説明した補償データは、上記実施の形態で説明した補償位置及びその補償値の設定の外にも、パネル欠陥領域（ＤＡ）と非欠陥領域（ＮＤＡ）の境界（ＢＬ）で、パネル欠陥領域（ＤＡ）と非欠陥領域（ＮＤＡ）との間の輝度変化を緩和させる補償位置の設定及びこの位置に対する補償値の変更が可能である。
【０１６７】
前述のように、本発明に係る平板表示装置の画質制御方法は、パネル欠陥領域（ＤＡ）に対して輝度を補償するための１次補償データと、パネル欠陥領域（ＤＡ）と非欠陥領域（ＮＤＡ）との境界ノイズを緩和させるための２次補償データとを設定し、このデータを用いてパネル欠陥に対する２段階補償をすることにより、さらに向上された画質具現が可能になる。
【０１６８】
前述のように、本発明に係る平板表示装置とその製造方法及び製造装置、その画質制御装置及び画質制御方法は、製造工程中、パネル欠陥の大きさや形状とは関係なしに、電気的な補償データでパネル欠陥を補償することができるのは勿論、パネル欠陥の輝度と色度を細密に補償できる利点があり、パネル欠陥補償と共にパネル欠陥領域（ＤＡ）と非欠陥領域（ＮＤＡ）の境界も補償することにより、さらに向上された画質具現を可能にする。
【０１６９】
以上、説明した内容を通じて、当業者であれば本発明の技術思想を逸脱しない範囲内で種々なる変更および修正が可能であることが分かる。従って、本発明の技術的範囲は、明細書の詳細な説明に記載した内容に限定されるものではなく、特許請求の範囲により定めなければならない。
【図面の簡単な説明】
【０１７０】
【図１】不定型パネル欠陥の一例を示す図面である。
【図２】帯状のパネル欠陥の一例を示す図面である。
【図３】点状のパネル欠陥の一例を示す図面である。
【図４】本発明の実施形態における平板表示装置の製造方法を段階的に示すフロー図である。
【図５Ａ】パネル欠陥補償データにパネル欠陥領域の輝度補償後のパネル欠陥領域と非欠陥領域の輝度差を示す図面である。
【図５Ｂ】パネル欠陥補償データにパネル欠陥領域の輝度補償後のパネル欠陥領域と非欠陥領域の輝度差を示す図面である。
【図５Ｃ】パネル欠陥補償データにパネル欠陥領域の輝度補償後のパネル欠陥領域と非欠陥領域の輝度差を示す図面である。
【図６】本発明の実施形態における平板表示装置、検査装置、パネル欠陥補償装置を示すブロック図である。
【図７】パネル欠陥補償データが階調別、階調区間別に分けられ設定される例のガンマ補正カーブを示す図面である。
【図８】本発明の第１の実施形態における補償回路を示すブロック図である。
【図９】図８に示す補償回路のパネル欠陥補償結果の例を示す図面である。
【図１０】図８に示す補償回路のパネル欠陥補償結果の例を示す図面である。
【図１１Ａ】画素配置の例を示す図面である。
【図１１Ｂ】画素配置の例を示す図面である。
【図１２】本発明の第２の実施形態における補償回路を示すブロック図である。
【図１３】本発明の第３の実施形態における補償回路を示すブロック図である。
【図１４】フレームレートコントロールの一例を示す図面である。
【図１５】ディザリング方法の一例を示す図面である。
【図１６】フレームレートコントロール＆ディザリング方法の一例を示す図面である。
【図１７】本発明の第４実施の形態における補償回路を示すブロック図である。
【図１８】図１７に示す第１のＦＲＣ制御機を詳細に示すブロック図である。
【図１９】本発明の第５の実施形態における補償回路を示すブロック図である。
【図２０】図１９に示す第１のディザリング制御機を詳細に示すブロック図である。
【図２１】本発明の第６の実施形態における補償回路を示すブロック図である。
【図２２】図２１に示す第１のＦＲＣ＆ディザリング制御機を詳細に示すブロック図である。
【図２３】非欠陥領域とパネル欠陥領域の境界における輝度差の例を示す図面である。
【図２４Ａ】図２３に示す非欠陥領域とパネル欠陥領域の境界を補償するための本発明の第１の実施形態における平板表示装置の画質制御方法を示す図面である。
【図２４Ｂ】図２３に示す非欠陥領域とパネル欠陥領域の境界を補償するための本発明の第１の実施形態における平板表示装置の画質制御方法を示す図面である。
【図２４Ｃ】図２３に示す非欠陥領域とパネル欠陥領域の境界を補償するための本発明の第１の実施形態における平板表示装置の画質制御方法を示す図面である。
【図２４Ｄ】図２３に示す非欠陥領域とパネル欠陥領域の境界を補償するための本発明の第１の実施形態における平板表示装置の画質制御方法を示す図面である。
【図２４Ｅ】図２３に示す非欠陥領域とパネル欠陥領域の境界を補償するための本発明の第１の実施形態における平板表示装置の画質制御方法を示す図面である。
【図２４Ｆ】図２３に示す非欠陥領域とパネル欠陥領域の境界を補償するための本発明の第１の実施形態における平板表示装置の画質制御方法を示す図面である。
【図２５Ａ】図２３に示す非欠陥領域とパネル欠陥領域の境界を補償するための本発明の第２実施の形態における平板表示装置の画質制御方法を示す図面である。
【図２５Ｂ】図２３に示す非欠陥領域とパネル欠陥領域の境界を補償するための本発明の第２実施の形態における平板表示装置の画質制御方法を示す図面である。
【図２５Ｃ】図２３に示す非欠陥領域とパネル欠陥領域の境界を補償するための本発明の第２実施の形態における平板表示装置の画質制御方法を示す図面である。
【図２５Ｄ】図２３に示す非欠陥領域とパネル欠陥領域の境界を補償するための本発明の第２実施の形態における平板表示装置の画質制御方法を示す図面である。
【図２５Ｅ】図２３に示す非欠陥領域とパネル欠陥領域の境界を補償するための本発明の第２実施の形態における平板表示装置の画質制御方法を示す図面である。
【図２５Ｆ】図２３に示す非欠陥領域とパネル欠陥領域の境界を補償するための本発明の第２実施の形態における平板表示装置の画質制御方法を示す図面である。
【図２６Ａ】図２３に示す非欠陥領域とパネル欠陥領域の境界を補償するための本発明の第３実施の形態における平板表示装置の画質制御方法を示す図面である。
【図２６Ｂ】図２３に示す非欠陥領域とパネル欠陥領域の境界を補償するための本発明の第３実施の形態における平板表示装置の画質制御方法を示す図面である。
【図２６Ｃ】図２３に示す非欠陥領域とパネル欠陥領域の境界を補償するための本発明の第３実施の形態における平板表示装置の画質制御方法を示す図面である。
【図２６Ｄ】図２３に示す非欠陥領域とパネル欠陥領域の境界を補償するための本発明の第３実施の形態における平板表示装置の画質制御方法を示す図面である。
【図２６Ｅ】図２３に示す非欠陥領域とパネル欠陥領域の境界を補償するための本発明の第３実施の形態における平板表示装置の画質制御方法を示す図面である。
【図２６Ｆ】図２３に示す非欠陥領域とパネル欠陥領域の境界を補償するための本発明の第３実施の形態における平板表示装置の画質制御方法を示す図面である。
【図２７Ａ】本発明の第４の実施形態における平板表示装置の画質制御方法を具体化して示す図面である。
【図２７Ｂ】本発明の第４の実施形態における平板表示装置の画質制御方法を具体化して示す図面である。
【図２７Ｃ】本発明の第４の実施形態における平板表示装置の画質制御方法を具体化して示す図面である。
【図２７Ｄ】本発明の第４の実施形態における平板表示装置の画質制御方法を具体化して示す図面である。
【図２７Ｅ】本発明の第４の実施形態における平板表示装置の画質制御方法を具体化して示す図面である。
【符号の説明】
【０１７１】
５１：補償回路
５２：タイミングコントローラ
５４：ＲＯＭ記録機
５５：コンピューター
５６：データ駆動回路
５７：スキャン駆動回路
５８：データライン
５９：スキャンライン
６０：平板表示パネル
６１：検査装置
７１、１２１、１６１、１８１、２０１：位置判断部
５３、５３Ｒ、５３Ｇ、５３Ｂ、５３Ｙ、５３ＦＲ、５３ＦＧ、５３ＦＢ、５３ＤＲ、５３ＤＧ、５３ＤＢ、５３ＦＤＲ、５３ＦＤＧ、５３ＦＤＢ：ＥＥＰＲＯＭ（またはＥＤＩＤＲＯＭ）
７２Ｒ、７２Ｇ、７２Ｂ、１２２、１６２Ｒ、１６２Ｇ、１６２Ｂ、１８２Ｒ、１８２Ｇ、１８２Ｂ、２０２Ｒ、２０２Ｇ、２０２Ｂ：階調判断部
７３Ｒ、７３Ｇ、７３Ｂ、１２３、１６３Ｒ、１６３Ｇ、１６３Ｂ、１８３Ｒ、１８３Ｇ、１８３Ｂ、２０３Ｒ、２０３Ｇ、２０３Ｂ：アドレス生成部
７４Ｒ、７４Ｇ、７４Ｂ、１２４、１７３、１９３、２２２：演算機
１２０：第１の変換機
１２５：第２の変換機
１６４Ｒ、１６４Ｇ、１６４Ｂ：ＦＲＣ制御機
１７１、１９１、２１１：補償値判定部
１７２、２２３：フレーム数感知部
１８４Ｒ、１８４Ｇ、１８４Ｂ：ディザリング制御機
１９２、２２４：画素位置感知部
２０４Ｒ、２０４Ｇ、２０４Ｂ：ＦＲＣ＆ディザリング制御機
【図４】
0004668854.tif 000002
【図５Ａ】
0004668854.tif 000003
【図５Ｂ】
0004668854.tif 000004
【図５Ｃ】
0004668854.tif 000005
【図６】
0004668854.tif 000006
【図７】
0004668854.tif 000007
【図８】
0004668854.tif 000008
【図９】
0004668854.tif 000009
【図１０】
0004668854.tif 000010
【図１２】
0004668854.tif 000011
【図１３】
0004668854.tif 000012
【図１７】
0004668854.tif 000013
【図１８】
0004668854.tif 000014
【図１９】
0004668854.tif 000015
【図２０】
0004668854.tif 000016
【図２１】
0004668854.tif 000017
【図２２】
0004668854.tif 000018
【図２３】
0004668854.tif 000019
【図２４Ａ】
0004668854.tif 000020
【図２４Ｂ】
0004668854.tif 000021
【図２４Ｃ】
0004668854.tif 000022
【図２４Ｄ】
0004668854.tif 000023
【図２４Ｅ】
0004668854.tif 000024
【図２４Ｆ】
0004668854.tif 000025
【図２５Ａ】
0004668854.tif 000026
【図２５Ｂ】
0004668854.tif 000027
【図２５Ｃ】
0004668854.tif 000028
【図２５Ｄ】
0004668854.tif 000029
【図２５Ｅ】
0004668854.tif 000030
【図２５Ｆ】
0004668854.tif 000031
【図２６Ａ】
0004668854.tif 000032
【図２６Ｂ】
0004668854.tif 000033
【図２６Ｃ】
0004668854.tif 000034
【図２６Ｄ】
0004668854.tif 000035
【図２６Ｅ】
0004668854.tif 000036
【図２６Ｆ】
0004668854.tif 000037
【図２７Ａ】
0004668854.tif 000038
【図２７Ｂ】
0004668854.tif 000039
【図２７Ｃ】
0004668854.tif 000040
【図２７Ｄ】
0004668854.tif 000041
【図２７Ｅ】
0004668854.tif 000042
【図１】
0004668854.tif 000043
【図２】
0004668854.tif 000044
【図３】
0004668854.tif 000045
【図１１Ａ】
0004668854.tif 000046
【図１１Ｂ】
0004668854.tif 000047
【図１４】
0004668854.tif 000048
【図１５】
0004668854.tif 000049
【図１６】
0004668854.tif 000050